(57)【要約】  本発明は、ネットワークにアクセスする方法、装置、プログラム及び記録媒体に関し、通信技術分野に属する。前記方法は、第２の端末を指示してネットワークにアクセスさせるアクセス情報を取得するステップと、指定のマルチキャストアドレスから前記アクセス情報を含む複数の目的アドレスを選択するステップと、前記複数の目的アドレスによって前記第２の端末に複数のユーザーデータグラムプロトコル（ＵＤＰ）マルチキャストメッセージをマルチキャストするステップとを含み、前記アクセス情報は、サービスセット識別子（ＳＳＩＤ）及びアクセスパスワードを含む。本発明は、第１の端末を介して第２の端末を指示してネットワークにアクセスさせるアクセス情報を、前記アクセス情報を含む複数のマルチキャストアドレスに記憶し、マルチキャスト伝送方式で第２の端末に送信する。【選択図】図１
2017511089.tif 000002
【特許請求の範囲】
【請求項１】
第２の端末を指示してネットワークにアクセスさせるアクセス情報を取得するステップと、
指定のマルチキャストアドレスから前記アクセス情報を含む複数の目的アドレスを選択するステップと、
前記複数の目的アドレスによって前記第２の端末に複数のユーザーデータグラムプロトコル（ＵＤＰ）マルチキャストメッセージをマルチキャストするステップと、を含み、
前記アクセス情報は、サービスセット識別子（ＳＳＩＤ）及びアクセスパスワードを含むことを特徴とするネットワークにアクセスする方法。
【請求項２】
前記第２の端末を指示してネットワークにアクセスさせるアクセス情報を取得するステップは、
第２の端末を指示してアクセスさせる選択されたネットワークアクセス機器の前記ＳＳＩＤを受信するステップと、
ローカルに前記ＳＳＩＤに対応するアクセスパスワードが保存されているかを照会するステップと、
前記ＳＳＩＤに対応するアクセスパスワードが保存されている場合、前記ＳＳＩＤ及び前記ＳＳＩＤに対応するアクセスパスワードを、前記第２の端末を指示してネットワークにアクセスさせるアクセス情報と確定するステップと、を含むことを特徴とする請求項１に記載のネットワークにアクセスする方法。
【請求項３】
前記ローカルに前記ＳＳＩＤに対応するアクセスパスワードが保存されているかを照会するステップの後、
前記ＳＳＩＤに対応するアクセスパスワードが保存されていない場合、入力された前記ＳＳＩＤに対応するアクセスパスワードを取得し、
前記ＳＳＩＤ及び入力された前記ＳＳＩＤに対応するアクセスパスワードを、前記第２の端末を指示してネットワークにアクセスさせるアクセス情報と確定するステップをさらに含むことを特徴とする請求項２に記載のネットワークにアクセスする方法。
【請求項４】
前記指定のマルチキャストアドレスから前記アクセス情報を含む複数の目的アドレスを選択するステップは、
プリセットアルゴリズムにより前記アクセス情報に対して暗号化計算を行って前記アクセス情報に対応する伝送暗号文を獲得するステップと、
前記伝送暗号文によって指定のマルチキャストアドレスから前記伝送暗号文を含む複数の目的アドレスを選択するステップと、を含むことを特徴とする請求項１に記載のネットワークにアクセスする方法。
【請求項５】
前記第２の端末を指示してネットワークにアクセスさせるアクセス情報を取得するステップの後、
前記アクセス情報によって指示情報を生成するとともに、前記指示情報を自体がアクセスするネットワークアクセス機器に送信し、前記ネットワークアクセス機器が前記指示情報によって指定のマルチキャストアドレスから前記アクセス情報を含む複数の目的アドレスの選択を完成するようにし、前記複数の目的アドレスによって前記第２の端末に複数のＵＤＰマルチキャストメッセージをマルチキャストするステップをさらに含むことを特徴とする請求項１に記載のネットワークにアクセスする方法。
【請求項６】
指定のマルチキャストアドレスに対してモニタリングするステップと、
前記指定のマルチキャストアドレス内で複数のＵＤＰマルチキャストメッセージを受信すると、それぞれのＵＤＰマルチキャストメッセージ中の目的アドレスを取得するステップと、
獲得したそれぞれのＵＤＰマルチキャストメッセージ中の目的アドレスによってアクセス情報を解析して獲得するステップと、
前記ＳＳＩＤ及びアクセスパスワードによって前記ＳＳＩＤに対応するネットワークアクセス機器にアクセスするプロセスを実行するステップと、を含み、
前記アクセス情報は、ＳＳＩＤ及びアクセスパスワードを含むことを特徴とするネットワークにアクセスする方法。
【請求項７】
前記獲得したそれぞれのＵＤＰマルチキャストメッセージ中の目的アドレスによってアクセス情報を解析して獲得するステップは、
獲得したそれぞれのＵＤＰマルチキャストメッセージ中の目的アドレスによってアクセス情報に対応する伝送暗号文を抽出するステップと、
プリセットアルゴリズムにより前記伝送暗号文に対して復号化計算を行って前記アクセス情報を還元して獲得するステップと、を含むことを特徴とする請求項６に記載のネットワークにアクセスする方法。
【請求項８】
第２の端末を指示してネットワークにアクセスさせる、サービスセット識別子（ＳＳＩＤ）及びアクセスパスワードを含むアクセス情報を取得する第１の取得モジュールと、
指定のマルチキャストアドレスから前記アクセス情報を含む複数の目的アドレスを選択する選択モジュールと、
前記複数の目的アドレスによって前記第２の端末に複数のユーザーデータグラムプロトコル（ＵＤＰ）マルチキャストメッセージをマルチキャストするマルチキャストモジュールと、を備えることを特徴とするネットワークにアクセスする装置。
【請求項９】
前記第１の取得モジュールは、
第２の端末を指示してアクセスさせる選択されたネットワークアクセス機器の前記ＳＳＩＤを受信する受信ユニットと、
ローカルに前記ＳＳＩＤに対応するアクセスパスワードが保存されているかを照会する照会ユニットと、
前記ＳＳＩＤに対応するアクセスパスワードが保存されている場合、前記ＳＳＩＤ及び前記ＳＳＩＤに対応するアクセスパスワードを、前記第２の端末を指示してネットワークにアクセスさせるアクセス情報と確定する第１の確定ユニットと、を備えることを特徴とする請求項８に記載のネットワークにアクセスする装置。
【請求項１０】
前記第１の取得モジュールは、
前記ＳＳＩＤに対応するアクセスパスワードが保存されていない場合、入力された前記ＳＳＩＤに対応するアクセスパスワードを取得する取得ユニットと、
前記ＳＳＩＤ及び入力された前記ＳＳＩＤに対応するアクセスパスワードを、前記第２の端末を指示してネットワークにアクセスさせるアクセス情報と確定する第２の確定ユニットと、をさらに備えることを特徴とする請求項９に記載のネットワークにアクセスする装置。
【請求項１１】
前記選択モジュールは、
プリセットアルゴリズムにより前記アクセス情報に対して暗号化計算を行って前記アクセス情報に対応する伝送暗号文を獲得する第１の計算ユニットと、
前記伝送暗号文によって指定のマルチキャストアドレスから前記伝送暗号文を含む複数の目的アドレスを選択する選択ユニットと、を備えることを特徴とする請求項８に記載のネットワークにアクセスする装置。
【請求項１２】
前記アクセス情報によって指示情報を生成する生成モジュールと、
前記指示情報を自体がアクセスするネットワークアクセス機器に送信して、前記ネットワークアクセス機器が前記指示情報によって指定のマルチキャストアドレスから前記アクセス情報を含む複数の目的アドレスの選択を完成するようにし、前記複数の目的アドレスによって前記第２の端末に複数のＵＤＰマルチキャストメッセージをマルチキャストする送信モジュールと、をさらに備えることを特徴とする請求項８に記載のネットワークにアクセスする装置。
【請求項１３】
指定のマルチキャストアドレスに対してモニタリングするモニタリングモジュールと、
前記指定のマルチキャストアドレス内で複数のＵＤＰマルチキャストメッセージを受信すると、それぞれのＵＤＰマルチキャストメッセージ中の目的アドレスを取得する第２の取得モジュールと、
獲得したそれぞれのＵＤＰマルチキャストメッセージ中の目的アドレスによってＳＳＩＤ及びアクセスパスワードを含むアクセス情報を解析して獲得する解析モジュールと、
前記ＳＳＩＤ及びアクセスパスワードによって前記ＳＳＩＤに対応するネットワークアクセス機器にアクセスするプロセスを実行するアクセスモジュールと、を備えることを特徴とするネットワークにアクセスする装置。
【請求項１４】
前記解析モジュールは、
獲得したそれぞれのＵＤＰマルチキャストメッセージ中の目的アドレスによってアクセス情報に対応する伝送暗号文を抽出する抽出ユニットと、
プリセットアルゴリズムにより前記伝送暗号文に対して復号化計算を行って前記アクセス情報を還元して獲得する第２の計算ユニットと、を備えることを特徴とする請求項１３に記載のネットワークにアクセスする装置。
【請求項１５】
プロセッサーと、
前記プロセッサーによって実行可能な命令を記憶するメモリと、を備え、
前記プロセッサーは、
第２の端末を指示してネットワークにアクセスさせる、サービスセット識別子（ＳＳＩＤ）及びアクセスパスワードを含むアクセス情報を取得し、
指定のマルチキャストアドレスから前記アクセス情報を含む複数の目的アドレスを選択し、
前記複数の目的アドレスによって前記第２の端末に複数のユーザーデータグラムプロトコル（ＵＤＰ）マルチキャストメッセージをマルチキャストするように構成されることを特徴とするネットワークにアクセスする装置。
【請求項１６】
プロセッサーと、
前記プロセッサーによって実行可能な命令を記憶するメモリと、を備え、
前記プロセッサーは、
指定のマルチキャストアドレスに対してモニタリングし、
前記指定のマルチキャストアドレス内で複数のＵＤＰマルチキャストメッセージを受信すると、それぞれのＵＤＰマルチキャストメッセージ中の目的アドレスを取得し、
獲得したそれぞれのＵＤＰマルチキャストメッセージ中の目的アドレスによって、ＳＳＩＤ及びアクセスパスワードを含むアクセス情報を解析して獲得し、
前記ＳＳＩＤ及びアクセスパスワードによって前記ＳＳＩＤに対応するネットワークアクセス機器にアクセスするプロセスを実行するように構成されることを特徴とするネットワークにアクセスする装置。
【発明の詳細な説明】
【技術分野】
【０００１】
本発明は、通信技術の分野に関し、更に詳細には、ネットワークにアクセスする方法及び装置に関する。
【背景技術】
【０００２】
通信技術の発展につれて、ますます多くのユーザーがワイヤレス接続モジュールを備えた端末を介してネットワークアクセス機器のワイヤレスネットワークにアクセスすることにより、当該ネットワークアクセス機器を介してネットワークを訪問する。
【０００３】
ここで、端末を設定して、ネットワークアクセス機器のワイヤレスネットワークにアクセスさせるプロセスは下記の通りである。即ち、端末は、まず、現在の環境に存在するネットワークアクセス機器がブロードキャストするアクセス信号を検出し、それぞれのネットワークアクセス機器がブロードキャストするアクセス信号を受信した後、ネットワークアクセス機器リストを生成し、ユーザーは当該リストからアクセスする必要があるネットワークアクセス機器を選択するとともにパスワードを入力する。このとき、端末は、パスワードを持った認証要求を当該選択されたネットワークアクセス機器に送信し、ネットワークアクセス機器は、パスワードの検証がパスすると、当該端末を認証機器であると記録するとともに、端末に認証がパスされた認証応答を返信し、端末は当該認証応答を受信した後、ネットワークアクセス機器に接続確立要求を送信し、ネットワークアクセス機器は当該要求によって端末をワイヤレスネットワークにアクセスさせる。
【発明の概要】
【発明が解決しようとする課題】
【０００４】
本発明は、関連する技術の問題を解決するために、ネットワークにアクセスする方法及び装置を提供する。技術手段は下記の通りである。
【課題を解決するための手段】
【０００５】
本発明の第１の態様によれば、ネットワークにアクセスする方法が提供され、前記方法は、
第２の端末を指示してネットワークにアクセスさせるアクセス情報を取得するステップと、
指定のマルチキャストアドレスから前記アクセス情報を含む複数の目的アドレスを選択するステップと、
前記複数の目的アドレスによって前記第２の端末に複数のユーザーデータグラムプロトコル（ＵＤＰ）マルチキャストメッセージをマルチキャストするステップと、を含み、
前記アクセス情報は、サービスセット識別子（ＳＳＩＤ）及びアクセスパスワードを含む。
【０００６】
第１の態様における第１の実現可能な形態において、第１の端末が前記第２の端末を指示してネットワークにアクセスさせるアクセス情報を取得するステップは、
第２の端末を指示してアクセスさせる選択されたネットワークアクセス機器の前記ＳＳＩＤを受信するステップと、
ローカルに前記ＳＳＩＤに対応するアクセスパスワードが保存されているかを照会するステップと、
前記ＳＳＩＤに対応するアクセスパスワードが保存されている場合、前記ＳＳＩＤ及び前記ＳＳＩＤに対応するアクセスパスワードを、前記第２の端末を指示してネットワークにアクセスさせるアクセス情報と確定するステップと、を含む。
【０００７】
第１の態様における第１の実現可能な形態に組み合わせて、第２の実現可能な形態において、前記ローカルに前記ＳＳＩＤに対応するアクセスパスワードが保存されているかを照会するステップの後、前記方法は、
前記ＳＳＩＤに対応するアクセスパスワードが保存されていない場合、入力された前記ＳＳＩＤに対応するアクセスパスワードを取得し、
前記ＳＳＩＤ及び入力された前記ＳＳＩＤに対応するアクセスパスワードを、前記第２の端末を指示してネットワークにアクセスさせるアクセス情報と確定するステップをさらに含む。
【０００８】
第１の態様における第３の実現可能な形態において、前記指定のマルチキャストアドレスから前記アクセス情報を含む複数の目的アドレスを選択するステップは、
プリセットアルゴリズムにより前記アクセス情報に対して暗号化計算を行って前記アクセス情報に対応する伝送暗号文を獲得するステップと、
前記伝送暗号文によって指定のマルチキャストアドレスから前記伝送暗号文を含む複数の目的アドレスを選択するステップと、を含む。
【０００９】
第１の態様における第４の実現可能な形態において、第１の端末が前記第２の端末を指示してネットワークにアクセスさせるアクセス情報を取得するステップの後、前記方法は、
前記アクセス情報によって指示情報を生成するとともに、前記指示情報を自体がアクセスするネットワークアクセス機器に送信して、前記ネットワークアクセス機器が前記指示情報によって指定のマルチキャストアドレスから前記アクセス情報を含む複数の目的アドレスの選択を完成するようにし、前記複数の目的アドレスによって前記第２の端末に複数のＵＤＰマルチキャストメッセージをマルチキャストするステップをさらに含む。
【００１０】
本発明の第２の態様によれば、ネットワークにアクセスする方法が提供され、前記方法は、
指定のマルチキャストアドレスに対してモニタリングするステップと、
前記指定のマルチキャストアドレス内で複数のＵＤＰマルチキャストメッセージを受信すると、それぞれのＵＤＰマルチキャストメッセージ中の目的アドレスを取得するステップと、
獲得したそれぞれのＵＤＰマルチキャストメッセージ中の目的アドレスによってアクセス情報を解析して獲得するステップと、
前記ＳＳＩＤ及びアクセスパスワードによって前記ＳＳＩＤに対応するネットワークアクセス機器にアクセスするプロセスを実行するステップと、を含み、
前記アクセス情報は、ＳＳＩＤ及びアクセスパスワードを含む。
【００１１】
第２の態様における第１の実現可能な形態において、前記獲得したそれぞれのＵＤＰマルチキャストメッセージ中の目的アドレスによってアクセス情報を解析して獲得するステップは、
獲得したそれぞれのＵＤＰマルチキャストメッセージ中の目的アドレスによってアクセス情報に対応する伝送暗号文を抽出するステップと、
プリセットアルゴリズムにより前記伝送暗号文に対して復号化計算を行って前記アクセス情報を還元して獲得するステップと、を含む。
【００１２】
本発明の第３の態様によれば、ネットワークにアクセスする装置が提供され、前記装置は、
第２の端末を指示してネットワークにアクセスさせる、サービスセット識別子（ＳＳＩＤ）及びアクセスパスワードを含むアクセス情報を取得する第１の取得モジュールと、
指定のマルチキャストアドレスから前記アクセス情報を含む複数の目的アドレスを選択する選択モジュールと、
前記複数の目的アドレスによって前記第２の端末に複数のユーザーデータグラムプロトコル（ＵＤＰ）マルチキャストメッセージをマルチキャストするマルチキャストモジュールと、を備える。
【００１３】
第３の態様における第１の実現可能な形態において、前記第１の取得モジュールは、
第２の端末を指示してアクセスさせる選択されたネットワークアクセス機器の前記ＳＳＩＤを受信する受信ユニットと、
ローカルに前記ＳＳＩＤに対応するアクセスパスワードが保存されているかを照会する照会ユニットと、
前記ＳＳＩＤに対応するアクセスパスワードが保存されている場合、前記ＳＳＩＤ及び前記ＳＳＩＤに対応するアクセスパスワードを、前記第２の端末を指示してネットワークにアクセスさせるアクセス情報と確定する第１の確定ユニットと、を備える。
【００１４】
第３の態様における第１の実現可能な形態に組み合わせて、第２の実現可能な形態において、前記第１の取得モジュールは、
前記ＳＳＩＤに対応するアクセスパスワードが保存されていない場合、入力された前記ＳＳＩＤに対応するアクセスパスワードを取得する取得ユニットと、
前記ＳＳＩＤ及び入力された前記ＳＳＩＤに対応するアクセスパスワードを、前記第２の端末を指示してネットワークにアクセスさせるアクセス情報と確定する第２の確定ユニットと、をさらに備える。
【００１５】
第３の態様における第３の実現可能な形態において、前記選択モジュールは、
プリセットアルゴリズムにより前記アクセス情報に対して暗号化計算を行って前記アクセス情報に対応する伝送暗号文を獲得する第１の計算ユニットと、
前記伝送暗号文によって指定のマルチキャストアドレスから前記伝送暗号文を含む複数の目的アドレスを選択する選択ユニットと、を備える。
【００１６】
第３の態様における第４の実現可能な形態において、前記装置は、
前記アクセス情報によって指示情報を生成する生成モジュールと、
前記指示情報を自体がアクセスするネットワークアクセス機器に送信して、前記ネットワークアクセス機器が前記指示情報によって指定のマルチキャストアドレスから前記アクセス情報を含む複数の目的アドレスの選択を完成するようにし、前記複数の目的アドレスによって前記第２の端末に複数のＵＤＰマルチキャストメッセージをマルチキャストする送信モジュールと、をさらに備える。
【００１７】
本発明の第４の態様によれば、ネットワークにアクセスする装置が提供され、前記装置は、
指定のマルチキャストアドレスに対してモニタリングするモニタリングモジュールと、
前記指定のマルチキャストアドレス内で複数のＵＤＰマルチキャストメッセージを受信すると、それぞれのＵＤＰマルチキャストメッセージ中の目的アドレスを取得する第２の取得モジュールと、
獲得したそれぞれのＵＤＰマルチキャストメッセージ中の目的アドレスによってＳＳＩＤ及びアクセスパスワードを含むアクセス情報を解析して獲得する解析モジュールと、
前記ＳＳＩＤ及びアクセスパスワードによって前記ＳＳＩＤに対応するネットワークアクセス機器にアクセスするプロセスを実行するアクセスモジュールと、を備える。
【００１８】
第４の態様における第１の実現可能な形態において、前記解析モジュールは、
獲得したそれぞれのＵＤＰマルチキャストメッセージ中の目的アドレスによってアクセス情報に対応する伝送暗号文を抽出する抽出ユニットと、
プリセットアルゴリズムにより前記伝送暗号文に対して復号化計算を行って前記アクセス情報を還元して獲得する第２の計算ユニットと、を備える。
【００１９】
本発明の第５の態様によれば、ネットワークにアクセスする装置が提供され、前記装置は、
プロセッサーと、
前記プロセッサーによって実行可能な命令を記憶するメモリと、を備え、
前記プロセッサーは、
第２の端末を指示してネットワークにアクセスさせる、サービスセット識別子（ＳＳＩＤ）及びアクセスパスワードを含むアクセス情報を取得し、
指定のマルチキャストアドレスから前記アクセス情報を含む複数の目的アドレスを選択し、
前記複数の目的アドレスによって前記第２の端末に複数のユーザーデータグラムプロトコル（ＵＤＰ）マルチキャストメッセージをマルチキャストするように構成される。
【００２０】
本発明の第６の態様によれば、ネットワークにアクセスする装置が提供され、前記装置は、
プロセッサーと、
前記プロセッサーによって実行可能な命令を記憶するメモリと、を備え、
前記プロセッサーは、
指定のマルチキャストアドレスに対してモニタリングし、
前記指定のマルチキャストアドレス内で複数のＵＤＰマルチキャストメッセージを受信すると、それぞれのＵＤＰマルチキャストメッセージ中の目的アドレスを取得し、
獲得したそれぞれのＵＤＰマルチキャストメッセージ中の目的アドレスによって、ＳＳＩＤ及びアクセスパスワードを含むアクセス情報を解析して獲得し、
前記ＳＳＩＤ及びアクセスパスワードによって前記ＳＳＩＤに対応するネットワークアクセス機器にアクセスするプロセスを実行するように構成される。
【発明の効果】
【００２１】
本発明が提供する技術的案によれば、以下のような有益な効果を含むことができる。即ち、
第１の端末を介して第２の端末を指示してネットワークにアクセスさせるアクセス情報を、前記アクセス情報を含む複数のマルチキャストアドレスに記憶するとともに、マルチキャスト伝送方式で第２の端末に送信する。このようにして、第２の端末が簡単にネットワークにアクセスすることを実現でき、複雑な操作に起因する人間・機械の相互作用性が低下する不具合を防止することができ、ネットワークにアクセスする効率を向上させることができる。
【００２２】
なお、前記一般的な記載及び後述の詳細な記載は、単なる例示的で解析的な記載であり、本発明を限定しない。
【図面の簡単な説明】
【００２３】
以下の図面は、明細書に組み入れて本明細書の一部分を構成し、本発明に該当する実施例を例示するとともに、明細書とともに本発明の原理を解析する。
【図１】一例示的な実施形態によるネットワークにアクセスする方法を示すフローチャートである。
【図２】一例示的な実施形態によるネットワークにアクセスする方法を示すフローチャートである。
【図３】一例示的な実施形態によるネットワークにアクセスする方法を示すフローチャートである。
【図４】一例示的な実施形態によるネットワークにアクセスする方法を示すフローチャートである。
【図５】一例示的な実施形態によるネットワークにアクセスする方法を示すフローチャートである。
【図６】一例示的な実施形態によるネットワークにアクセスする装置を示すブロック図である。
【図７】一例示的な実施形態によるネットワークにアクセスする装置を示すブロック図である。
【図８】一例示的な実施形態によるネットワークにアクセスする装置を示すブロック図（端末の一般的な構造）である。
【図９】一例示的な実施形態によるネットワークにアクセスする装置を示すブロック図（ネットワークアクセス機器の一般的な構造）である。
【図１０】一例示的な実施形態によるネットワークにアクセスする装置を示すブロック図（端末の一般的な構造）である。
【発明を実施するための形態】
【００２４】
本発明の目的、技術手段、及び利点をより明確にするために、本発明の実施形態について、以下図面を参照しながらさらに詳細に説明する。
【００２５】
本発明の一例示的な実施例は、ネットワークにアクセスする方法を提供し、前記方法の実施例は端末に適用される。図１を参照すると、前記方法は、
第１の端末は、第２の端末を指示してネットワークにアクセスさせるアクセス情報を取得するステップ１０１と、
指定のマルチキャストアドレスからアクセス情報を含む複数の目的アドレスを選択するステップ１０２と、
複数の目的アドレスによって第２の端末に複数のユーザーデータグラムプロトコル（ＵＤＰ）マルチキャストメッセージをマルチキャストするステップ１０３と、を含み、
前記アクセス情報は、サービスセット識別子（ＳＳＩＤ）及びアクセスパスワードを含む。
【００２６】
本発明の実施例は、第１の端末を介して第２の端末を指示してネットワークにアクセスさせるアクセス情報を、前記アクセス情報を含む複数のマルチキャストアドレスに記憶し、マルチキャスト伝送方式で第２の端末に送信する。このようにして、第２の端末が簡単にネットワークにアクセスすることを実現でき、複雑な操作に起因する人間・機械の相互作用性が低下する不具合を防止することができ、ネットワークにアクセスする効率を向上させることができる。
【００２７】
本発明の他の一例示的な実施例は、ネットワークにアクセスする方法を提供し、前記方法の実施例は端末に適用される。図２を参照すると、前記方法は、
第２の端末が指定のマルチキャストアドレスに対してモニタリングするステップ２０１と、
指定のマルチキャストアドレス内で複数のＵＤＰマルチキャストメッセージを受信すると、それぞれのＵＤＰマルチキャストメッセージ中の目的アドレスを取得するステップ２０２と、
獲得したそれぞれのＵＤＰマルチキャストメッセージ中の目的アドレスによって、アクセス情報を解析して獲得するステップ２０３と、
ＳＳＩＤ及びアクセスパスワードによってＳＳＩＤに対応するネットワークアクセス機器にアクセスするプロセスを実行するステップ２０４と、を含み、
前記アクセス情報は、ＳＳＩＤ及びアクセスパスワードを含む。
【００２８】
本発明の実施例は、第２の端末を介して指定のマルチキャストアドレスをモニタリングするとともに、指定のマルチキャストアドレスから複数のマルチキャストメッセージを受信した後、それぞれのマルチキャストメッセージ中のマルチキャストアドレスフィールドによってアクセス情報を還元し、前記アクセス情報によってネットワークにアクセスする操作を行う。このようにして、第２の端末が簡単にネットワークにアクセスすることを実現でき、複雑な操作に起因する人間・機械の相互作用性が低下する不具合を防止することができ、ネットワークにアクセスする効率を向上させることができる。
【００２９】
図３を参照すると、本発明の他の一例示的な実施例は、ネットワークにアクセスする方法を提供する。
【００３０】
なお、本発明の実施例では、第２の端末は、１つ又は複数のネットワークへのアクセスを待機中のスマート端末であってもよい。前記第２の端末は、スマート携帯電話、タブレットＰＣなどのスマート端末であってもよく、また、スマートウェア機器、スマート家電機器などの、入力装置を備えていないスマート端末であってもよい。そして、第１の端末は、スマート家庭用アプリケーションプログラムをインストールした携帯電話、タブレットＰＣなどの機器であってもよい。
【００３１】
前記方法は、下記のようなステップを含んでもよい。即ち、
ステップ３０１：第１の端末は、第２の端末を指示してネットワークにアクセスさせるサービスセット識別子（ＳＳＩＤ）及びアクセスパスワードを含むアクセス情報を取得する。
【００３２】
本ステップは、第１の端末のスマート家庭用アプリケーションプログラムでトリガされて実行されてもよい。ユーザーは、それぞれの第２の端末を作動させた後、それぞれの第２の端末を設定して、ネットワークへのアクセスモードに入らせる。そして、ユーザーは、第１の端末を操作して、スマート家庭用アプリケーションプログラムを作動させる。この時、第１の端末は、現在の環境中のネットワークアクセス機器を検索して、ネットワークアクセス機器リストを生成する。前記ネットワークアクセス機器リストには、少なくとも現在検出されたそれぞれのネットワークアクセス機器に対応するＳＳＩＤ（Ｓｅｒｖｉｃｅ Ｓｅｔ Ｉｄｅｎｔｉｆｉｅｒ、サービスセット識別子）が含まれる。ユーザーは、前記ネットワークアクセス機器リストからネットワークアクセス機器を一つ選択し、第２の端末を指示して、その選択されたネットワークアクセス機器にアクセスさせるようにする。
【００３３】
対応して、ステップ３０１は、下記のようなステップを経て実現されてもよい。
【００３４】
ステップ３０１１：第２の端末を指示してアクセスさせる選択されたネットワークアクセス機器のＳＳＩＤを受信する。
【００３５】
このステップにおいて、ユーザーは前記ネットワークアクセス機器リストから選択した後、前記ネットワークアクセス機器リストから、第２の端末を指示してアクセスさせる選択したネットワークアクセス機器に対応するＳＳＩＤを獲得する。
【００３６】
ステップ３０１２：ローカルに前記ＳＳＩＤに対応するアクセスパスワードが保存されているかを照会する。
【００３７】
第１の端末が前記第２の端末を指示してアクセスさせる選択されたネットワークアクセス機器にアクセスしたことがあった場合、第１の端末には、前記ネットワークアクセス機器に対応するＳＳＩＤ及びアクセスパスワードが保存されるので、第１の端末自体が保存されたＳＳＩＤとアクセスパスワードとの対応関係から、第２の端末を指示してアクセスさせる選択されたネットワークアクセス機器に対応するＳＳＩＤによって、前記ＳＳＩＤに対応する記録が存在するかを照会する。
【００３８】
照会されると、ステップ３０１３を実行し、照会されない場合、ステップ３０１４を実行する。
【００３９】
ステップ３０１３：ＳＳＩＤに対応するアクセスパスワードが保存されている場合、ＳＳＩＤ及びＳＳＩＤに対応するアクセスパスワードを、第２の端末を指示してネットワークにアクセスさせるアクセス情報と確定する。
【００４０】
ステップ３０１４：ＳＳＩＤに対応するアクセスパスワードが保存されていない場合、入力されたＳＳＩＤに対応するアクセスパスワードを取得する。
【００４１】
第１の端末自体が保存されたＳＳＩＤとアクセスパスワードとの対応関係から照会されなかった場合、プロンプターボックスがポップアップされてユーザーにアクセスパスワードを入力する操作を行うようにヒントし、ユーザーがアクセスパスワードを入力した後、送信ボタンをクリックすると、入力したアクセスパスワードを取得する。
【００４２】
ステップ３０１５：ＳＳＩＤ及び入力されたＳＳＩＤに対応するアクセスパスワードを、第２の端末を指示してネットワークにアクセスさせるアクセス情報と確定する。
【００４３】
ステップ３０２：指定のマルチキャストアドレスからアクセス情報を含む複数の目的アドレスを選択する。
【００４４】
本ステップは、下記のようなステップを経て実現されてもよい。
【００４５】
ステップ３０２１：プリセットアルゴリズムによりアクセス情報に対して暗号化計算を行い、アクセス情報に対応する伝送暗号文を獲得する。
【００４６】
ここで、伝送暗号文は、指定の長さの数字で構成されたデータ文字列である。
【００４７】
ステップ３０２２：伝送暗号文によって指定のマルチキャストアドレスから伝送暗号文を含む複数のアドレスを選択する。
【００４８】
本発明の実施例では、複数のＵＤＰ（Ｕｓｅｒ Ｄａｔａｇｒａｍ Ｐｒｏｔｏｃｏｌ、ユーザーデータグラムプロトコル）マルチキャストメッセージ中の目的アドレスで暗号化された伝送暗号文を携帯し、ＵＤＰマルチキャストメッセージのデータ内容で内容を伝送することではない。
【００４９】
ここで、目的アドレス中の最後の２つのバイト（ｂｙｔｅ）を選択して、暗号化された伝送暗号文を携帯する。即ち、目的アドレス中の前の２つのバイトは、事前に設定したものであり、最後の２つのバイトは生成された伝送暗号文によって選択されたものであり、最終に確定された目的アドレスがマルチキャストに使用される目的アドレスである。ＵＤＰマルチキャストメッセージ中の目的アドレスフィールドの内容が制限されるため、４つのバイトの内容のみ、即ち、目的ＩＰ（Ｉｎｔｅｒｎｅｔ Ｐｒｏｔｏｃｏｌ、インターネットプロトコル）アドレスのみを保存することができ、送信するデータ量は４つのバイトよりもはるかに多いので、複数のＵＤＰマルチキャストメッセージの目的アドレスでともに同一のアクセス情報に対応する伝送暗号文を送信する必要があり、選択されたそれぞれの目的アドレスは伝送暗号文の一部を含む。
【００５０】
また、ここで、マルチキャスト転送は、ＩＰ（Ｉｎｔｅｒｎｅｔ Ｐｒｏｔｏｃｏｌ）アドレス中のプライベートクラスＤアドレス（ｐｒｉｖａｔｅ ｃｌａｓｓ Ｄ ａｄｄｒｅｓｓ）を使用して行われ、その中に含まれる複数のＩＰアドレスをマルチキャストアドレスとして、マルチキャスト転送を行うために使用される。好ましくは、２２４.２３６.０.０-２２４.２３６.２５５.２５５を選択して指定のマルチキャストアドレスとする。ここで、２２４.２３６を本発明の実施例での目的アドレス中の前の２つのバイトとする。
【００５１】
伝送暗号文によって目的アドレスを選択する過程は、下記の通りである。即ち、伝送暗号文に対して、指定されたビット（ｂｉｔ）数に応じて分割して、複数のデータセグメントを取得し、順番に２つのデータセグメントを選択して目的アドレス中の２つのバイトを充填し、１つの目的アドレスを生成する。
【００５２】
好ましくは、伝送暗号文を含む目的アドレスを生成する前に、前記伝送暗号文の関連情報を含む複数の目的アドレスを生成する。関連情報は、伝送暗号文の長さ、データ量などを含むが、これに限定されない。ここで、関連情報に対してプリセットアルゴリズム演算を行って関連情報に対応する伝送暗号文を獲得し、前記関連情報に対応する伝送暗号文によって対応する目的アドレスを選択する。
【００５３】
ステップ３０３：複数の目的アドレスによって第２の端末にＵＤＰマルチキャストメッセージをマルチキャストする。
【００５４】
選択された複数の目的アドレスによって複数のＵＤＰマルチキャストメッセージを生成し、生成した複数のＵＤＰマルチキャストメッセージを順番に送信する。
【００５５】
ステップ３０４：第２の端末は、指定のマルチキャストアドレスに対してモニタリングする。
【００５６】
１つ又は複数のマルチキャストアドレスを介してアクセス情報をマルチキャスト送信することができるので、第２の端末は、マルチキャスト送信される複数のマルチキャストアドレスに対してモニタリングする必要がある。対応して、ユーザーは、第２の端末のネットワークアクセスモードを作動させた後、第２の端末は、指定のマルチキャストアドレスに対してモニタリングする。
【００５７】
なお、本発明の実施例は、１つ又は複数の第２の端末を含むことができ、複数の第２の端末が存在する場合、それぞれの第２の端末はステップ３０４からステップ３０７までのプロセスを実行する。
【００５８】
ステップ３０５：指定のマルチキャストアドレス内で複数のＵＤＰマルチキャストメッセージを受信すると、それぞれのＵＤＰマルチキャストメッセージ中の目的アドレスを獲得する。
【００５９】
ステップ３０６：獲得した各ＵＤＰマルチキャストメッセージ中の目的アドレスによってＳＳＩＤ及びアクセスパスワードを含むアクセス情報を解析して獲得する。
【００６０】
本ステップは、下記のようなステップを経て実現されてもよい。
【００６１】
ステップ３０６１：獲得した各ＵＤＰマルチキャストメッセージ中の目的アドレスによってアクセス情報に対応する伝送暗号文を抽出する。
【００６２】
ここで、受信されたＵＤＰマルチキャストメッセージの順序に応じて、それぞれの目的アドレス中の最後の２つのバイトを順番に抽出し、抽出された内容を組み合わせてアクセス情報に対応する伝送暗号文を構成する。
【００６３】
ステップ３０６２：プリセットアルゴリズムにより伝送暗号文に対して復号化計算を行って、アクセス情報を還元して獲得する。
【００６４】
ステップ３０７：ＳＳＩＤ及びアクセスパスワードによってＳＳＩＤに対応するネットワークアクセス機器にアクセスするプロセスを実行する。
【００６５】
ここで、アクセスするプロセスは、下記の通りである。即ち、前記ＳＳＩＤ及びアクセスパスワードによって認証要求を生成し、ＳＳＩＤに対応するネットワークアクセス機器に前記認証要求を送信する。ネットワークアクセス機器は、前記認証がパスすると、第２の端末に認証がパスされた認証応答を返信し、第２の端末は、前記認証応答を受信した後、ネットワークアクセス機器に接続確立要求を送信し、ネットワークアクセス機器は、前記要求によって第２の端末をワイヤレスネットワークにアクセスさせる。
【００６６】
図４を参照すると、本発明の他の一例示的な実施例は、ネットワークにアクセスする方法を提供する。前記方法は、下記のようなステップを含んでもよい。
【００６７】
ステップ４０１：第１の端末は、第２の端末を指示してネットワークにアクセスさせるアクセス情報を取得する。ここで、前記アクセス情報は、サービスセット識別子（ＳＳＩＤ）及びアクセスパスワードを含む。
【００６８】
本ステップで第２の端末を指示してネットワークにアクセスするアクセス情報を獲得する過程は、ステップ３０１で述べた内容と同じであるので、ここで説明を省略する。
【００６９】
ステップ４０２：アクセス情報によって指示情報を生成するとともに、前記指示情報を自体がアクセスするネットワークアクセス機器に送信して、ネットワークアクセス機器が指示情報によって指定のマルチキャストアドレスからアクセス情報を含む複数の目的アドレスの選択を完成するようにし、複数の目的アドレスによって第２の端末に複数のＵＤＰマルチキャストメッセージをマルチキャストする。
【００７０】
ステップ４０３：ネットワークアクセス機器は、第１の端末が送信した指示情報を受信する。
【００７１】
ステップ４０４：ネットワークアクセス機器は、指示情報でアクセス情報を抽出し、指定のマルチキャストアドレスからアクセス情報を含む複数の目的アドレスを選択する。
【００７２】
本ステップでの過程は、ステップ３０２で述べた内容と同じであるので、ここで説明を省略する。
【００７３】
ステップ４０５：複数の目的アドレスによって第２の端末にＵＤＰマルチキャストメッセージをマルチキャストする。
【００７４】
ステップ４０６：第２の端末は、指定のマルチキャストアドレスに対してモニタリングする。
【００７５】
ステップ４０７：指定のマルチキャストアドレスでＵＤＰマルチキャストメッセージを受信すると、ＵＤＰマルチキャストメッセージを解析して、アクセス情報を取得する。ここで、前記アクセス情報は、ＳＳＩＤ及びアクセスパスワードを含む。
【００７６】
ステップ４０８：ＳＳＩＤ及びアクセスパスワードによってＳＳＩＤに対応するネットワークアクセス機器にアクセスするプロセスを実行する。
【００７７】
本ステップでの過程は、ステップ３０７で述べた内容と同じであるので、ここで説明を省略する。
【００７８】
本発明の実施例は、第１の端末を介して第２の端末を指示してネットワークにアクセスさせるアクセス情報を、前記アクセス情報を含む複数のマルチキャストアドレスに記憶し、マルチキャスト伝送方式で第２の端末に送信する。このようにして、第２の端末が簡単にネットワークにアクセスすることを実現でき、複雑な操作に起因する人間・機械の相互作用性が低下する不具合を防止することができ、ネットワークにアクセスする効率を向上させることができる。
【００７９】
また、第２の端末を介して指定のマルチキャストアドレスをモニタリングするとともに、指定のマルチキャストアドレスから複数のマルチキャストメッセージを受信した後、それぞれのマルチキャストメッセージ中のマルチキャストアドレスフィールドによってアクセス情報を還元し、前記アクセス情報によってネットワークにアクセスする操作を行う。このようにして、第２の端末が簡単にネットワークにアクセスすることを実現でき、複雑な操作に起因する人間・機械の相互作用性が低下する不具合を防止することができ、ネットワークにアクセスする効率を向上させることができる。
【００８０】
図５を参照すると、本発明の他の一例示的な実施例は、ネットワークにアクセスする方法を提供する。
【００８１】
なお、本発明の実施例では、第２の端末は、１つ又は複数のネットワークへのアクセスを待機中のスマート端末であってもよい。前記第２の端末は、スマート携帯電話、タブレットＰＣなどのスマート端末であってもよく、また、スマートウェア機器、スマート家電機器などの、入力装置を備えていないスマート端末であってもよい。そして、第１の端末は、スマート家庭用アプリケーションプログラムをインストールしたネットワークアクセス機器であってもよい。
【００８２】
前記方法は、下記のようなステップを含んでもよい。即ち、
ステップ５０１：第１の端末は、第２の端末を指示してネットワークにアクセスさせるサービスセット識別子（ＳＳＩＤ）及びアクセスパスワードを含むアクセス情報を取得する。ここで、
本ステップは、第１の端末のスマート家庭用アプリケーションプログラムでトリガされて実行されてもよい。ユーザーは、それぞれの第２の端末を作動させた後、それぞれの第２の端末を設定して、ネットワークへのアクセスモードに入らせる。そして、ユーザーは、第１の端末を操作して、スマート家庭用アプリケーションプログラムを作動させる。この時、第１の端末は、現在の環境中のネットワークアクセス機器を検索して、ネットワークアクセス機器リストを生成する。前記ネットワークアクセス機器リストには、少なくとも現在検出されたそれぞれのネットワークアクセス機器に対応するＳＳＩＤが含まれる。ユーザーは、前記ネットワークアクセス機器リストからネットワークアクセス機器を一つ選択し、第２の端末を指示して、その選択されたネットワークアクセス機器にアクセスできるようにする。
【００８３】
ここで、第１の端末はネットワークアクセス機器であるため、生成されたネットワークアクセス機器リストに自体のＳＳＩＤが含まれてもよい。
【００８４】
対応して、ステップ５０１は、下記のようなステップを経て実現されてもよい。
【００８５】
ステップ５０１１：第２の端末を指示してアクセスさせる選択されたネットワークアクセス機器のＳＳＩＤを受信する。
【００８６】
このステップにおいて、ユーザーは前記ネットワークアクセス機器リストから選択した後、前記ネットワークアクセス機器リストから、第２の端末を指示してアクセスさせる選択したネットワークアクセス機器に対応するＳＳＩＤを獲得する。
【００８７】
ステップ５０１２：ローカルに前記ＳＳＩＤに対応するアクセスパスワードが保存されているかを照会する。
【００８８】
第１の端末が前記第２の端末を指示してアクセスさせる選択されたネットワークアクセス機器にアクセスしたことがあった場合、第１の端末には、前記ネットワークアクセス機器に対応するＳＳＩＤ及びアクセスパスワードが保存されるので、第１の端末自体が保存されたＳＳＩＤとアクセスパスワードとの対応関係から、第２の端末を指示してアクセスさせる選択されたネットワークアクセス機器に対応するＳＳＩＤによって、前記ＳＳＩＤに対応する記録が存在するかを照会する。
【００８９】
照会されると、ステップ５０１３を実行し、照会されない場合にステップ５０１４を実行する。
【００９０】
ステップ５０１３：ＳＳＩＤに対応するアクセスパスワードが保存されている場合、ＳＳＩＤ及びＳＳＩＤに対応するアクセスパスワードを、第２の端末を指示してネットワークにアクセスさせるアクセス情報と確定する。
【００９１】
ステップ５０１４：ＳＳＩＤに対応するアクセスパスワードが保存されていない場合、入力されたＳＳＩＤに対応するアクセスパスワードを取得する。
【００９２】
第１の端末自体が保存されたＳＳＩＤとアクセスパスワードとの対応関係から照会されなかった場合、プロンプターボックスがポップアップされ、ユーザーにアクセスパスワードを入力する操作を行うようにヒントし、ユーザーがアクセスパスワードを入力した後、送信ボタンをクリックすると、入力したアクセスパスワードを取得する。
【００９３】
ステップ５０１５：ＳＳＩＤ及び入力されたＳＳＩＤに対応するアクセスパスワードを、第２の端末を指示してネットワークにアクセスさせるアクセス情報と確定する。
【００９４】
ステップ５０２：指定のマルチキャストアドレスからアクセス情報を含む複数の目的アドレスを選択する。
【００９５】
本ステップは、下記のようなステップを経て実現されてもよい。
【００９６】
ステップ５０２１：プリセットアルゴリズムによりアクセス情報に対して暗号化計算を行い、アクセス情報に対応する伝送暗号文を獲得する。
【００９７】
ステップ５０２２：伝送暗号文によって指定のマルチキャストアドレスから伝送暗号文を含む複数のアドレスを選択する。
【００９８】
本発明の実施例では、複数のＵＤＰ（Ｕｓｅｒ Ｄａｔａｇｒａｍ Ｐｒｏｔｏｃｏｌ、ユーザーデータグラムプロトコル）マルチキャストメッセージ中の目的アドレスで暗号化された伝送暗号文を携帯し、ＵＤＰマルチキャストメッセージのデータ内容で内容を伝送することではない。
【００９９】
ここで、目的アドレス中の最後の２つのバイト（ｂｙｔｅ）を選択して、暗号化された伝送暗号文を携帯する。即ち、目的アドレス中の前の２つのバイトは、事前に設定したものであり、最後の２つのバイトは生成された伝送暗号文によって選択されたものであり、最終に確定された目的アドレスがマルチキャストに使用される目的アドレスである。ＵＤＰマルチキャストメッセージ中の目的アドレスフィールドの内容が制限されるため、４つのバイトの内容のみ、即ち、目的ＩＰ（Ｉｎｔｅｒｎｅｔ Ｐｒｏｔｏｃｏｌ、インターネットプロトコル）アドレスのみを保存することができ、送信するデータ量は４つのバイトよりもはるかに多いので、複数のＵＤＰマルチキャストメッセージの目的アドレスでともに同一のアクセス情報に対応する伝送暗号文を送信する必要があり、選択されたそれぞれの目的アドレスは伝送暗号文の一部を含む。
【０１００】
また、ここで、マルチキャスト転送は、ＩＰ（Ｉｎｔｅｒｎｅｔ Ｐｒｏｔｏｃｏｌ）アドレス中のプライベートクラスＤアドレス（ｐｒｉｖａｔｅ ｃｌａｓｓ Ｄ ａｄｄｒｅｓｓ）を使用して行われ、その中に含まれる複数のＩＰアドレスをマルチキャストアドレスとして、マルチキャスト転送を行うために使用される。好ましくは、２２４.２３６.０.０-２２４.２３６.２５５.２５５を選択して指定のマルチキャストアドレスとする。ここで、２２４.２３６を本発明の実施例での目的アドレス中の前の２つのバイトとする。
【０１０１】
伝送暗号文によって目的アドレスを選択する過程は、下記の通りである。即ち、伝送暗号文に対して、指定されたビット（ｂｉｔ）数に応じて分割して、複数のデータセグメントを取得し、順番に２つのデータセグメントを選択して目的アドレス中の２つのバイトを充填し、１つの目的アドレスを生成する。
【０１０２】
好ましくは、伝送暗号文を含む目的アドレスを生成する前に、前記伝送暗号文の関連情報を含む複数の目的アドレスを生成する。関連情報は、伝送暗号文の長さ、データ量などを含むが、これに限定されない。ここで、関連情報に対してプリセットアルゴリズム演算を行って関連情報に対応する伝送暗号文を獲得し、前記関連情報に対応する伝送暗号文によって対応する目的アドレスを選択する。
【０１０３】
ステップ５０３：複数の目的アドレスによって第２の端末にＵＤＰマルチキャストメッセージをマルチキャストする。
【０１０４】
選択された複数の目的アドレスによって複数のＵＤＰマルチキャストメッセージを生成し、生成した複数のＵＤＰマルチキャストメッセージを順番に送信する。
【０１０５】
ステップ５０４：第２の端末は、指定のマルチキャストアドレスに対してモニタリングする。
【０１０６】
１つ又は複数のマルチキャストアドレスを介してアクセス情報をマルチキャスト送信することができるので、第２の端末は、マルチキャスト送信される複数のマルチキャストアドレスに対してモニタリングする必要がある。対応して、ユーザーは、第２の端末のネットワークアクセスモードを作動させた後、第２の端末は、指定のマルチキャストアドレスに対してモニタリングする。
【０１０７】
なお、本発明の実施例は、１つ又は複数の第２の端末を含むことができ、複数の第２の端末が存在する場合、それぞれの第２の端末はステップ５０４からステップ５０７までのプロセスを実行する。
【０１０８】
ステップ５０５：指定のマルチキャストアドレス内で複数のＵＤＰマルチキャストメッセージを受信すると、それぞれのＵＤＰマルチキャストメッセージ中の目的アドレスを獲得する。
【０１０９】
ステップ５０６：獲得した各ＵＤＰマルチキャストメッセージ中の目的アドレスによってＳＳＩＤ及びアクセスパスワードを含むアクセス情報を解析して獲得する。
【０１１０】
本ステップは、下記のようなステップを経て実現されてもよい。
【０１１１】
ステップ５０６１：獲得した各ＵＤＰマルチキャストメッセージ中の目的アドレスによってアクセス情報に対応する伝送暗号文を抽出する。
【０１１２】
ここで、受信されたＵＤＰマルチキャストメッセージの順序に応じて、それぞれの目的アドレス中の最後の２つのバイトを順番に抽出し、抽出された内容を組み合わせてアクセス情報に対応する伝送暗号文を構成する。
【０１１３】
ステップ５０６２：プリセットアルゴリズムにより伝送暗号文に対して復号化計算を行って、アクセス情報を還元して獲得する。
【０１１４】
ステップ５０７：ＳＳＩＤ及びアクセスパスワードによってＳＳＩＤに対応するネットワークアクセス機器にアクセスするプロセスを実行する。
【０１１５】
ここで、アクセスするプロセスは、下記の通りである。即ち、前記ＳＳＩＤ及びアクセスパスワードによって認証要求を生成し、ＳＳＩＤに対応するネットワークアクセス機器に前記認証要求を送信する。ネットワークアクセス機器は、前記認証がパスすると、第２の端末に認証がパスされた認証応答を返信し、第２の端末は、前記認証応答を受信した後、ネットワークアクセス機器に接続確立要求を送信し、ネットワークアクセス機器は、前記要求によって第２の端末をワイヤレスネットワークにアクセスさせる。
【０１１６】
本発明の実施例は、第１の端末を介して第２の端末を指示してネットワークにアクセスさせるアクセス情報を、前記アクセス情報を含む複数のマルチキャストアドレスに記憶し、マルチキャスト伝送方式で第２の端末に送信する。このようにして、第２の端末が簡単にネットワークにアクセスすることを実現でき、複雑な操作に起因する人間・機械の相互作用性が低下する不具合を防止することができ、ネットワークにアクセスする効率を向上させることができる。
【０１１７】
また、第２の端末を介して指定のマルチキャストアドレスをモニタリングするとともに、指定のマルチキャストアドレスから複数のマルチキャストメッセージを受信した後、それぞれのマルチキャストメッセージ中のマルチキャストアドレスフィールドによってアクセス情報を還元し、前記アクセス情報によってネットワークにアクセスする操作を行う。このようにして、第２の端末が簡単にネットワークにアクセスすることを実現でき、複雑な操作に起因する人間・機械の相互作用性が低下する不具合を防止することができ、ネットワークにアクセスする効率を向上させることができる。
【０１１８】
前記例示的な実施例が提供したネットワークにアクセスする方法に対応して、本発明の他の一例示的な実施例は、ネットワークにアクセスする装置を提供する。図６を参照すると、前記装置は、
第２の端末を指示してネットワークにアクセスさせるサービスセット識別子（ＳＳＩＤ）及びアクセスパスワードを含むアクセス情報を取得する第１の取得モジュール６０１と、
指定のマルチキャストアドレスからアクセス情報を含む複数の目的アドレスを選択する選択モジュール６０２と、
複数の目的アドレスによって第２の端末に複数のユーザーデータグラムプロトコル（ＵＤＰ）マルチキャストメッセージをマルチキャストするマルチキャストモジュール６０３と、を備える。
【０１１９】
第１の取得モジュール６０１は、
第２の端末を指示してアクセスさせる選択されたネットワークアクセス機器のＳＳＩＤを受信する受信ユニット６０１１と、
ローカルに前記ＳＳＩＤに対応するアクセスパスワードが保存されているかを照会する照会ユニット６０１２と、
ＳＳＩＤに対応するアクセスパスワードが保存されている場合、ＳＳＩＤ及びＳＳＩＤに対応するアクセスパスワードを、第２の端末を指示してネットワークにアクセスさせるアクセス情報と確定する第１の確定ユニット６０１３と、を備える。
【０１２０】
第１の取得モジュール６０１は、
ＳＳＩＤに対応するアクセスパスワードが保存されていない場合、入力されたＳＳＩＤに対応するアクセスパスワードを取得する取得ユニット６０１４と、
ＳＳＩＤ及び入力されたＳＳＩＤに対応するアクセスパスワードを、第２の端末を指示してネットワークにアクセスさせるアクセス情報と確定する第２の確定ユニット６０１５と、をさらに備える。
【０１２１】
選択モジュール６０２は、
プリセットアルゴリズムによりアクセス情報に対して暗号化計算を行い、アクセス情報に対応する伝送暗号文を獲得する第１の計算ユニット６０２１と、
伝送暗号文によって指定のマルチキャストアドレスで伝送暗号文を含む複数のアドレスを選択する選択ユニット６０２２と、を備える。
【０１２２】
装置は、
アクセス情報によって指示情報を生成する生成モジュール６０４と、
指示情報を自体がアクセスするネットワークアクセス機器に送信して、ネットワークアクセス機器が指示情報によって指定のマルチキャストアドレスからアクセス情報を含む複数の目的アドレスの選択を完成するようにし、複数の目的アドレスによって第２の端末に複数のＵＤＰマルチキャストメッセージをマルチキャストする送信モジュール６０５と、をさらに備える。
【０１２３】
本発明の実施例は、第１の端末を介して第２の端末を指示してネットワークにアクセスさせるアクセス情報を、前記アクセス情報を含む複数のマルチキャストアドレスに記憶し、マルチキャスト伝送方式で第２の端末に送信する。このようにして、第２の端末が簡単にネットワークにアクセスすることを実現でき、複雑な操作に起因する人間・機械の相互作用性が低下する不具合を防止することができ、ネットワークにアクセスする効率を向上させることができる。
【０１２４】
前記例示的な実施例が提供したネットワークにアクセスする方法に対応して、本発明の他の一例示的な実施例は、ネットワークにアクセスする装置を提供する。図７を参照すると、前記装置は、
指定のマルチキャストアドレスに対してモニタリングするモニタリングモジュール７０１と、
指定のマルチキャストアドレス内で複数のＵＤＰマルチキャストメッセージを受信すると、それぞれのＵＤＰマルチキャストメッセージ中の目的アドレスを取得する第２の取得モジュール７０２と、
獲得したそれぞれのＵＤＰマルチキャストメッセージ中の目的アドレスによってＳＳＩＤ及びアクセスパスワードを含むアクセス情報を解析して獲得する解析モジュール７０３と、
ＳＳＩＤ及びアクセスパスワードによってＳＳＩＤに対応するネットワークアクセス機器にアクセスするプロセスを実行するためのアクセスモジュール７０４と、を備える。
【０１２５】
解析モジュール７０３は、
獲得したそれぞれのＵＤＰマルチキャストメッセージ中の目的アドレスによってアクセス情報に対応する伝送暗号文を抽出する抽出ユニット７０３１と、
プリセットアルゴリズムにより伝送暗号文に対して復号化計算を行って、アクセス情報を還元して獲得する第２の計算ユニット７０３２と、を備える。
【０１２６】
本発明の実施例は、第２の端末を介して指定のマルチキャストアドレスをモニタリングするとともに、指定のマルチキャストアドレスから複数のマルチキャストメッセージを受信した後、それぞれのマルチキャストメッセージ中のマルチキャストアドレスフィールドによってアクセス情報を還元し、前記アクセス情報によってネットワークにアクセスする操作を行う。このようにして、第２の端末が簡単にネットワークにアクセスすることを実現でき、複雑な操作に起因する人間・機械の相互作用性が低下する不具合を防止することができ、ネットワークにアクセスする効率を向上させることができる。
【０１２７】
前記例示的な実施例が提供したネットワークにアクセスする方法に対応して、本発明の他の例示的な実施例は、図８に示すように、ネットワークにアクセスする装置８００を提供する。本実施例の装置８００は、前記例示的な実施例が提供したネットワークにアクセスする方法に係る第１の端末である。
【０１２８】
図８は、一例示的な実施例に係るネットワークにアクセスする装置８００を示すブロック図である。例えば、装置８００は、携帯電話、コンピュータ、デジタルブロードキャスト端末、メッセージ送受信機、ゲーム機、タブレットデバイス、医療機器、フィットネス機器、ＰＤＡ等のものであってもよい。
【０１２９】
図８を参照すると、装置８００は、処理ユニット８０２、メモリ８０４、電源ユニット８０６、マルチメディアユニット８０８、オーディオユニット８１０、入力/出力（Ｉ/Ｏ）インターフェース８１２、センサーユニット８１４、及び通信ユニット８１６からなる群から選ばれる少なくとも１つを備えてもよい。
【０１３０】
処理ユニット８０２は、一般的には、装置８００の全体の操作、例えば、表示、電話呼び出し、データ通信、カメラ操作及び記録操作に関連する操作を制御する。処理ユニット８０２は、上述した方法におけるステップの一部又は全部を実現できるように、命令を実行する少なくとも１つのプロセッサー８２０を備えてもよい。また、処理ユニット８０２は、他のユニットとのインタラクションを便利にさせるように、少なくとも１つのモジュールを備えてもよい。例えば、処理ユニット８０２は、マルチメディアユニット８０８とのインタラクションを便利にさせるように、マルチメディアモジュールを備えてもよい。
【０１３１】
メモリ８０４は、装置８００での操作をサポートするように、各種のデータを記憶するように配置される。これらのデータは、例えば、装置８００で何れのアプリケーション又は方法を操作するための命令、連絡先データ、電話帳データ、メッセージ、画像、ビデオ等を含む。メモリ８０４は、何れの種類の揮発性又は不揮発性メモリ、例えば、ＳＲＡＭ（Ｓｔａｔｉｃ Ｒａｎｄｏｍ Ａｃｃｅｓｓ Ｍｅｍｏｒｙ）、ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（Ｐｒｏｇｒａｍｍａｂｌｅ ＲＯＭ）、ＲＯＭ（Ｒｅａｄ Ｏｎｌｙ Ｍｅｍｂｅｒ）、磁気メモリ、フラッシュメモリ、磁気ディスク、或いは光ディスクにより、或いはそれらの組み合わせにより実現することができる。
【０１３２】
電源ユニット８０６は、装置８００の各種ユニットに電力を供給するためのものであり、電源管理システム、１つ又は複数の電源、及び装置８００のために電力を生成、管理及び分配することに関連する他のユニットを備えてもよい。
【０１３３】
マルチメディアユニット８０８は、装置８００とユーザーとの間に出力インターフェースを提供するスクリーンを備えてもよい。スクリーンは、例えば、液晶ディスプレイ（ＬＣＤ）やタッチパネル（ＴＰ）を備えてもよい。スクリーンは、タッチパネルを備える場合、ユーザーからの入力信号を受信するように、タッチスクリーンになることができる。また、タッチパネルは、タッチや、スライドや、タッチパネル上の手振りを感知するように、少なくとも１つのタッチセンサーを有する。タッチセンサーは、タッチやスライド動作の境界を感知できるだけではなく、タッチやスライド操作と関連する持続時間や圧力も感知できる。一実施例では、マルチメディアユニット８０８は、フロントカメラ及び/又はバックカメラを有してもよい。装置８００が、例えば、撮影モードやビデオモードのような操作モードにある時、フロントカメラ及び/又はバックカメラが外部のマルチメディアデータを受信できる。フロントカメラ及びバックカメラのそれぞれは、固定の光学レンズ系であってもよいし、焦点距離及び光学ズーム能力を有するものであってもよい。
【０１３４】
オーディオユニット８１０は、オーディオ信号を出力及び/又は入力するように配置される。例えば、オーディオユニット８１０は、マイクロフォン（ＭｉＣ）を有してもよい。装置８００が、例えば、呼び出しモード、記録モード、又は音声認識モードのような操作モードにあるとき、マイクロフォンは、外部のオーディオ信号を受信するように配置される。受信したオーディオ信号は、メモリ８０４にさらに記憶されてもよいし、通信ユニット８１６を介して送信されてもよい。一実施例では、オーディオユニット８１０は、オーディオ信号を出力するためのスピーカをさらに備えてもよい。
【０１３５】
Ｉ/Ｏインターフェース８１２は、処理ユニット８０２と外部のインターフェースモジュールとの間にインターフェースを提供するためのものである。前記外部のインターフェースモジュールは、キーボードや、クリックホイールや、ボタン等であってもよい。これらのボタンは、ホームボタンや、音量ボタンや、スタートボタンや、ロックボタンであってもよいが、それらに限らない。
【０１３６】
センサーユニット８１４は、装置８００のために各方面の状態を評価する少なくとも１つのセンサーを備えてもよい。例えば、センサーユニット８１４は、装置８００のオン/オフ状態や、ユニットの相対的な位置を検出することができる。例えば、前記ユニットは、装置８００のディスプレイ及びキーパッドである。センサーユニット８１４は、装置８００又は装置８００の１つのユニットの位置の変化、ユーザーによる装置８００への接触の有無、装置８００の方向又は加速/減速、装置８００の温度変化などを検出することができる。センサーユニット８１４は、何れの物理的な接触もない場合に付近の物体を検出するように配置される近接センサーを有してもよい。センサーユニット８１４は、イメージングアプリケーションに用いるための光センサー、例えば、ＣＭＯＳ又はＣＣＤ画像センサーを有してもよい。一実施例では、当該センサーユニット８１４は、加速度センサー、ジャイロスコープセンサー、磁気センサー、圧力センサー又は温度センサーをさらに備えてもよい。
【０１３７】
通信ユニット８１６は、装置８００と他の設備の間との無線又は有線通信を便利にさせるように配置される。装置８００は、通信標準に基づく無線ネットワーク、例えば、ＷｉＦｉ、２Ｇ又は３Ｇ、又はそれらの組み合わせにアクセスできる。１つの例示的な実施例では、通信ユニット８１６は、ブロードキャストチャンネルを介して外部のブロードキャスト管理システムからのブロードキャスト信号又はブロードキャストに関する情報を受信する。１つの例示的な実施例では、前記通信ユニット８１６は、近距離通信を促進するために近距離無線通信（ＮＦＣ）モジュールをさらに備えてもよい。例えば、ＮＦＣモジュールは、無線周波数認識（ＲＦＩＤ：Ｒａｄｉｏ Ｆｒｅｑｕｅｎｃｙ ＩＤｅｎｔｉｆｉｃａｔｉｏｎ）技術、赤外線データ協会（ＩｒＤＡ：Ｉｎｆｒａｒｅｄ Ｄａｔａ Ａｓｓｏｃｉａｔｉｏｎ）技術、超広帯域無線（ＵＷＢ：Ｕｌｔｒａ Ｗｉｄｅ Ｂａｎｄ）技術、ブルートゥース（登録商標）（ＢＴ：Ｂｌｕｅｔｏｏｔｈ（登録商標））技術及び他の技術によって実現されてもよい。
【０１３８】
例示的な実施例では、装置８００は、上述した方法を実行するために、１つ又は複数の特定用途向け集積回路（ＡＳＩＣ：Ａｐｐｌｉｃａｔｉｏｎ Ｓｐｅｃｉｆｉｃ Ｉｎｔｅｇｒａｔｅｄ Ｃｉｒｃｕｉｔ）、デジタル信号プロセッサー（ＤＳＰ：Ｄｉｇｉｔａｌ Ｓｉｇｎａｌ Ｐｒｏｃｅｓｓｏｒ）、デジタル信号処理デバイス（ＤＳＰＤ：Ｄｉｇｉｔａｌ Ｓｉｇｎａｌ Ｐｒｏｃｅｓｓｉｎｇ Ｄｅｖｉｃｅ）、プログラマブルロジックデバイス（ＰＬＤ：Ｐｒｏｇｒａｍｍａｂｌｅ Ｌｏｇｉｃ Ｄｅｖｉｃｅ）、書替え可能ゲートアレイ（ＦＰＧＡ：Ｆｉｅｌｄ−Ｐｒｏｇｒａｍｍａｂｌｅ Ｇａｔｅ Ａｒｒａｙ）、コントローラ、マイクロコントローラ、マイクロプロセッサー、又は他の電子機器によって実現されてもよい。
【０１３９】
例示的な実施例では、命令を有する非一時的コンピュータ読み取り可能な記録媒体、例えば、命令を有するメモリ８０４をさらに提供する。前記命令は、装置８００のプロセッサー８２０により実行されて上述した方法を実現する。例えば、前記非一時的コンピュータ読み取り可能な記録媒体は、ＲＯＭ、ＲＡＭ、ＣＤ-ＲＯＭ、磁気テープ、フロッピー（登録商標）ディスク及び光データメモリ等であってもよい。
【０１４０】
本発明の実施例は、第１の端末を介して、第２の端末を指示してネットワークにアクセスさせるアクセス情報を、前記アクセス情報を含む複数のマルチキャストアドレスに記憶し、マルチキャスト伝送方式で第２の端末に送信する。このようにして、第２の端末が簡単にネットワークにアクセスすることを実現でき、複雑な操作に起因する人間・機械の相互作用性が低下する不具合を防止することができ、ネットワークにアクセスする効率を向上させることができる。
【０１４１】
図９は、一例示的な実施例に係るネットワークにアクセスする装置１９００を示すブロック図である。例えば、装置１９００はネットワークアクセス機器として提供されてもよい。図９を参照すると、装置１９００は、１つ以上のプロセッサーがさらに含まれた処理ユニット１９２２と、処理ユニット１９２２により実行可能な命令、例えばプログラムを記憶するメモリ１９３２を代表とするメモリリソースとを含む。メモリ１９３２に記憶されたアプリケーションプログラムは、１つ以上のそれぞれが一組の命令に対応するモジュールを含んでもよい。また、前記いずれか１つの実施例に提供された方法を実行するために、処理ユニット１９２２は命令を実行するように配置される。
【０１４２】
ここで、本実施例に係る装置１９００は、前記例示的な実施例に係るネットワークにアクセスする方法における第１の端末である。
【０１４３】
装置１９００は、装置１９００の電源管理を実行するように配置された電源ユニット１９２６と、装置１９００をインターネットに接続させるように配置された有線又は無線インターネットインターフェース１９５０と、入力/出力（Ｉ/Ｏ）インターフェース１９５８とを備えてもよい。装置１９００はメモリ１９３２に記憶された操作システム、例えばＷｉｎｄｏｗｓ（登録商標） Ｓｅｒｖｅｒ、Ｍａｃ ＯＳ Ｘ（登録商標）、Ｕｎｉｘ（登録商標）, Ｌｉｎｕｘ（登録商標）、ＦｒｅｅＢＳＤ（登録商標）などに基づいて操作できる。
【０１４４】
本発明の実施例は、第１の端末を介して、第２の端末を指示してネットワークにアクセスさせるアクセス情報を、前記アクセス情報を含む複数のマルチキャストアドレスに記憶し、マルチキャスト伝送方式で第２の端末に送信する。このようにして、第２の端末が簡単にネットワークにアクセスすることを実現でき、複雑な操作に起因する人間・機械の相互作用性が低下する不具合を防止することができ、ネットワークにアクセスする効率を向上させることができる。
【０１４５】
前記例示的な実施例が提供したネットワークにアクセスする方法に対応して、本発明の他の例示的な実施例は、図１０に示すように、ネットワークにアクセスする装置１０００を提供する。図１０は、一例示的な実施例に係るネットワークにアクセスする装置１０００を示すブロック図である。例えば、装置１０００は、携帯電話、コンピュータ、デジタルブロードキャスト端末、メッセージ送受信機、ゲーム機、タブレットデバイス、医療機器、フィットネス機器、ＰＤＡ等のものであってもよい。
【０１４６】
図１０を参照すると、装置１０００は、処理ユニット１００２、メモリ１００４、電源ユニット１００６、マルチメディアユニット１００８、オーディオユニット１０１０、入力/出力（Ｉ/Ｏ）インターフェース１０１２、センサーユニット１０１４、及び通信ユニット１０１６からなる群から選ばれる少なくとも１つを備えてもよい。
【０１４７】
処理ユニット１００２は、一般的には、装置１０００の全体の操作、例えば、表示、電話呼び出し、データ通信、カメラ操作及び記録操作に関連する操作を制御する。処理ユニット１００２は、上述した方法におけるステップの一部又は全部を実現できるように、命令を実行する少なくとも１つのプロセッサー１０２０を備えてもよい。また、処理ユニット１００２は、他のユニットとのインタラクションを便利にさせるように、少なくとも１つのモジュールを備えてもよい。例えば、処理ユニット１００２は、マルチメディアユニット１００８とのインタラクションを便利にさせるように、マルチメディアモジュールを備えてもよい。
【０１４８】
メモリ１００４は、装置１０００での操作をサポートするように、各種のデータを記憶するように配置される。これらのデータは、例えば、装置１０００で何れのアプリケーション又は方法を操作するための命令、連絡先データ、電話帳データ、メッセージ、画像、ビデオ等を含む。メモリ１００４は、何れの種類の揮発性又は不揮発性メモリ、例えば、ＳＲＡＭ（Ｓｔａｔｉｃ Ｒａｎｄｏｍ Ａｃｃｅｓｓ Ｍｅｍｏｒｙ）、ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（Ｐｒｏｇｒａｍｍａｂｌｅ ＲＯＭ）、ＲＯＭ（Ｒｅａｄ Ｏｎｌｙ Ｍｅｍｂｅｒ）、磁気メモリ、フラッシュメモリ、磁気ディスク、或いは光ディスクにより、或いはそれらの組み合わせにより実現することができる。
【０１４９】
電源ユニット１００６は、装置１０００の各種ユニットに電力を供給するためのものであり、電源管理システム、１つ又は複数の電源、及び装置１０００のために電力を生成、管理及び分配することに関連する他のユニットを備えてもよい。
【０１５０】
マルチメディアユニット１００８は、装置１０００とユーザーとの間に出力インターフェースを提供するスクリーンを備えてもよい。スクリーンは、例えば、液晶ディスプレイ（ＬＣＤ）やタッチパネル（ＴＰ）を備えてもよい。スクリーンは、タッチパネルを備える場合、ユーザーからの入力信号を受信するように、タッチスクリーンになることができる。また、タッチパネルは、タッチや、スライドや、タッチパネル上の手振りを感知するように、少なくとも１つのタッチセンサーを有する。タッチセンサーは、タッチやスライド動作の境界を感知できるだけではなく、タッチやスライド操作と関連する持続時間や圧力も感知できる。一実施例では、マルチメディアユニット１００８は、フロントカメラ及び/又はバックカメラを有してもよい。装置１０００が、例えば、撮影モードやビデオモードのような操作モードにある時、フロントカメラ及び/又はバックカメラが外部のマルチメディアデータを受信できる。フロントカメラ及びバックカメラのそれぞれは、固定の光学レンズ系であってもよいし、焦点距離及び光学ズーム能力を有するものであってもよい。
【０１５１】
オーディオユニット１０１０は、オーディオ信号を出力及び/又は入力するように配置される。例えば、オーディオユニット１０１０は、マイクロフォン（ＭｉＣ）を有してもよい。装置１０００が、例えば、呼び出しモード、記録モード、又は音声認識モードのような操作モードにあるとき、マイクロフォンは、外部のオーディオ信号を受信するように配置される。受信したオーディオ信号は、メモリ１００４にさらに記憶されてもよいし、通信ユニット１０１６を介して送信されてもよい。一実施例では、オーディオユニット１０１０は、オーディオ信号を出力するためのスピーカをさらに備えてもよい。
【０１５２】
Ｉ/Ｏインターフェース１０１２は、処理ユニット１００２と外部のインターフェースモジュールとの間にインターフェースを提供するためのものである。前記外部のインターフェースモジュールは、キーボードや、クリックホイールや、ボタン等であってもよい。これらのボタンは、ホームボタンや、音量ボタンや、スタートボタンや、ロックボタンであってもよいが、それらに限らない。
【０１５３】
センサーユニット１０１４は、装置１０００のために各方面の状態を評価する少なくとも１つのセンサーを備えてもよい。例えば、センサーユニット１０１４は、装置１０００のオン/オフ状態や、ユニットの相対的な位置を検出することができる。例えば、前記ユニットは、装置１０００のディスプレイ及びキーパッドである。センサーユニット１０１４は、装置１０００又は装置１０００の１つのユニットの位置の変化、ユーザーによる装置１０００への接触の有無、装置１０００の方向又は加速/減速、装置１０００の温度変化などを検出することができる。センサーユニット１０１４は、何れの物理的な接触もない場合に付近の物体を検出するように配置される近接センサーを有してもよい。センサーユニット１０１４は、イメージングアプリケーションに用いるための光センサー、例えば、ＣＭＯＳ又はＣＣＤ画像センサーを有してもよい。一実施例では、当該センサーユニット１０１４は、加速度センサー、ジャイロスコープセンサー、磁気センサー、圧力センサー又は温度センサーをさらに備えてもよい。
【０１５４】
通信ユニット１０１６は、装置１０００と他の設備の間との無線又は有線通信を便利にさせるように配置される。装置１０００は、通信標準に基づく無線ネットワーク、例えば、ＷｉＦｉ、２Ｇ又は３Ｇ、又はそれらの組み合わせにアクセスできる。１つの例示的な実施例では、通信ユニット１０１６は、ブロードキャストチャンネルを介して外部のブロードキャスト管理システムからのブロードキャスト信号又はブロードキャストに関する情報を受信する。１つの例示的な実施例では、前記通信ユニット１０１６は、近距離通信を促進するために近距離無線通信（ＮＦＣ）モジュールをさらに備えてもよい。例えば、ＮＦＣモジュールは、無線周波数認識（ＲＦＩＤ：Ｒａｄｉｏ Ｆｒｅｑｕｅｎｃｙ ＩＤｅｎｔｉｆｉｃａｔｉｏｎ）技術、赤外線データ協会（ＩｒＤＡ：Ｉｎｆｒａｒｅｄ Ｄａｔａ Ａｓｓｏｃｉａｔｉｏｎ）技術、超広帯域無線（ＵＷＢ：Ｕｌｔｒａ Ｗｉｄｅ Ｂａｎｄ）技術、ブルートゥース（登録商標）（ＢＴ：Ｂｌｕｅｔｏｏｔｈ（登録商標））技術及び他の技術によって実現されてもよい。
【０１５５】
例示的な実施例では、装置１０００は、上述した方法を実行するために、１つ又は複数の特定用途向け集積回路（ＡＳＩＣ：Ａｐｐｌｉｃａｔｉｏｎ Ｓｐｅｃｉｆｉｃ Ｉｎｔｅｇｒａｔｅｄ Ｃｉｒｃｕｉｔ）、デジタル信号プロセッサー（ＤＳＰ：Ｄｉｇｉｔａｌ Ｓｉｇｎａｌ Ｐｒｏｃｅｓｓｏｒ）、デジタル信号処理デバイス（ＤＳＰＤ：Ｄｉｇｉｔａｌ Ｓｉｇｎａｌ Ｐｒｏｃｅｓｓｉｎｇ Ｄｅｖｉｃｅ）、プログラマブルロジックデバイス（ＰＬＤ：Ｐｒｏｇｒａｍｍａｂｌｅ Ｌｏｇｉｃ Ｄｅｖｉｃｅ）、書替え可能ゲートアレイ（ＦＰＧＡ：Ｆｉｅｌｄ−Ｐｒｏｇｒａｍｍａｂｌｅ Ｇａｔｅ Ａｒｒａｙ）、コントローラ、マイクロコントローラ、マイクロプロセッサー、又は他の電子機器によって実現されてもよい。
【０１５６】
例示的な実施例では、命令を有する非一時的コンピュータ読み取り可能な記録媒体、例えば、命令を有するメモリ１００４をさらに提供する。前記命令は、装置１０００のプロセッサー１０２０により実行されて上述した方法を実現する。例えば、前記非一時的コンピュータ読み取り可能な記録媒体は、ＲＯＭ、ＲＡＭ、ＣＤ-ＲＯＭ、磁気テープ、フロッピー（登録商標）ディスク及び光データメモリ等であってもよい。
【０１５７】
本発明の実施例において、第２の端末は、指定のマルチキャストアドレスをモニタリングするとともに、指定のマルチキャストアドレスから複数のマルチキャストメッセージを受信した後、それぞれのマルチキャストメッセージ中のマルチキャストアドレスフィールドによってアクセス情報を還元し、前記アクセス情報によってネットワークにアクセスする操作を行う。このようにして、第２の端末が簡単にネットワークにアクセスすることを実現でき、複雑な操作に起因する人間・機械の相互作用性が低下する不具合を防止することができ、ネットワークにアクセスする効率を向上させることができる。
【０１５８】
当業者は、明細書に対する理解、及び明細書に記載された発明に対する実施を通じて、本発明の他の実施形態を容易に得ることができる。本発明は、本発明に対する任意の変形、用途、又は適応的な変化を含み、このような変形、用途、又は適応的な変化は、本発明の一般的な原理に従い、本発明では開示していない本技術分野の公知の知識、又は通常の技術手段を含む。明細書と実施例は、ただ例示的なものであって、本発明の本当の範囲と主旨は、以下の特許請求の範囲によって示される。
【０１５９】
本発明は、前記で記述し、図面で図示した特定の構成に限定されず、その範囲を離脱しない状況で、様様な修正と変更を実現できる。本発明の範囲は、添付される特許請求の範囲のみにより限定される。
【０１６０】
本願は、出願番号が２０１５１００４７８７５．１であって、出願日が２０１５年１月２９日である中国特許出願に基づき優先権を主張し、当該中国特許出願のすべての内容を本願に援用する。
【図１】
2017511089.tif 000003
【図２】
2017511089.tif 000004
【図３】
2017511089.tif 000005
【図４】
2017511089.tif 000006
【図５】
2017511089.tif 000007
【図６】
2017511089.tif 000008
【図７】
2017511089.tif 000009
【図８】
2017511089.tif 000010
【図９】
2017511089.tif 000011
【図１０】
2017511089.tif 000012
【手続補正書】
【提出日】平成27年12月22日(2015.12.22)
【手続補正１】
【補正対象書類名】特許請求の範囲
【補正対象項目名】全文
【補正方法】変更
【補正の内容】
【特許請求の範囲】
【請求項１】
第２の端末を指示してネットワークにアクセスさせるアクセス情報を取得するステップと、
指定のマルチキャストアドレスから前記アクセス情報を含む複数の目的アドレスを選択するステップと、
前記複数の目的アドレスによって前記第２の端末に複数のユーザーデータグラムプロトコル（ＵＤＰ）マルチキャストメッセージをマルチキャストするステップと、を含み、
前記アクセス情報は、サービスセット識別子（ＳＳＩＤ）及びアクセスパスワードを含むことを特徴とするネットワークにアクセスする方法。
【請求項２】
前記第２の端末を指示してネットワークにアクセスさせるアクセス情報を取得するステップは、
第２の端末を指示してアクセスさせる選択されたネットワークアクセス機器の前記ＳＳＩＤを受信するステップと、
ローカルに前記ＳＳＩＤに対応するアクセスパスワードが保存されているかを照会するステップと、
前記ＳＳＩＤに対応するアクセスパスワードが保存されている場合、前記ＳＳＩＤ及び前記ＳＳＩＤに対応するアクセスパスワードを、前記第２の端末を指示してネットワークにアクセスさせるアクセス情報と確定するステップと、を含むことを特徴とする請求項１に記載のネットワークにアクセスする方法。
【請求項３】
前記ローカルに前記ＳＳＩＤに対応するアクセスパスワードが保存されているかを照会するステップの後、
前記ＳＳＩＤに対応するアクセスパスワードが保存されていない場合、入力された前記ＳＳＩＤに対応するアクセスパスワードを取得し、
前記ＳＳＩＤ及び入力された前記ＳＳＩＤに対応するアクセスパスワードを、前記第２の端末を指示してネットワークにアクセスさせるアクセス情報と確定するステップをさらに含むことを特徴とする請求項２に記載のネットワークにアクセスする方法。
【請求項４】
前記指定のマルチキャストアドレスから前記アクセス情報を含む複数の目的アドレスを選択するステップは、
プリセットアルゴリズムにより前記アクセス情報に対して暗号化計算を行って前記アクセス情報に対応する伝送暗号文を獲得するステップと、
前記伝送暗号文によって指定のマルチキャストアドレスから前記伝送暗号文を含む複数の目的アドレスを選択するステップと、を含むことを特徴とする請求項１に記載のネットワークにアクセスする方法。
【請求項５】
前記第２の端末を指示してネットワークにアクセスさせるアクセス情報を取得するステップの後、
前記アクセス情報によって指示情報を生成するとともに、前記指示情報を自体がアクセスするネットワークアクセス機器に送信し、前記ネットワークアクセス機器が前記指示情報によって指定のマルチキャストアドレスから前記アクセス情報を含む複数の目的アドレスの選択を完成するようにし、前記複数の目的アドレスによって前記第２の端末に複数のＵＤＰマルチキャストメッセージをマルチキャストするステップをさらに含むことを特徴とする請求項１に記載のネットワークにアクセスする方法。
【請求項６】
指定のマルチキャストアドレスに対してモニタリングするステップと、
前記指定のマルチキャストアドレス内で複数のＵＤＰマルチキャストメッセージを受信すると、それぞれのＵＤＰマルチキャストメッセージ中の目的アドレスを取得するステップと、
獲得したそれぞれのＵＤＰマルチキャストメッセージ中の目的アドレスによってアクセス情報を解析して獲得するステップと、
前記ＳＳＩＤ及びアクセスパスワードによって前記ＳＳＩＤに対応するネットワークアクセス機器にアクセスするプロセスを実行するステップと、を含み、
前記アクセス情報は、ＳＳＩＤ及びアクセスパスワードを含むことを特徴とするネットワークにアクセスする方法。
【請求項７】
前記獲得したそれぞれのＵＤＰマルチキャストメッセージ中の目的アドレスによってアクセス情報を解析して獲得するステップは、
獲得したそれぞれのＵＤＰマルチキャストメッセージ中の目的アドレスによってアクセス情報に対応する伝送暗号文を抽出するステップと、
プリセットアルゴリズムにより前記伝送暗号文に対して復号化計算を行って前記アクセス情報を還元して獲得するステップと、を含むことを特徴とする請求項６に記載のネットワークにアクセスする方法。
【請求項８】
第２の端末を指示してネットワークにアクセスさせる、サービスセット識別子（ＳＳＩＤ）及びアクセスパスワードを含むアクセス情報を取得する第１の取得モジュールと、
指定のマルチキャストアドレスから前記アクセス情報を含む複数の目的アドレスを選択する選択モジュールと、
前記複数の目的アドレスによって前記第２の端末に複数のユーザーデータグラムプロトコル（ＵＤＰ）マルチキャストメッセージをマルチキャストするマルチキャストモジュールと、を備えることを特徴とするネットワークにアクセスする装置。
【請求項９】
前記第１の取得モジュールは、
第２の端末を指示してアクセスさせる選択されたネットワークアクセス機器の前記ＳＳＩＤを受信する受信ユニットと、
ローカルに前記ＳＳＩＤに対応するアクセスパスワードが保存されているかを照会する照会ユニットと、
前記ＳＳＩＤに対応するアクセスパスワードが保存されている場合、前記ＳＳＩＤ及び前記ＳＳＩＤに対応するアクセスパスワードを、前記第２の端末を指示してネットワークにアクセスさせるアクセス情報と確定する第１の確定ユニットと、を備えることを特徴とする請求項８に記載のネットワークにアクセスする装置。
【請求項１０】
前記第１の取得モジュールは、
前記ＳＳＩＤに対応するアクセスパスワードが保存されていない場合、入力された前記ＳＳＩＤに対応するアクセスパスワードを取得する取得ユニットと、
前記ＳＳＩＤ及び入力された前記ＳＳＩＤに対応するアクセスパスワードを、前記第２の端末を指示してネットワークにアクセスさせるアクセス情報と確定する第２の確定ユニットと、をさらに備えることを特徴とする請求項９に記載のネットワークにアクセスする装置。
【請求項１１】
前記選択モジュールは、
プリセットアルゴリズムにより前記アクセス情報に対して暗号化計算を行って前記アクセス情報に対応する伝送暗号文を獲得する第１の計算ユニットと、
前記伝送暗号文によって指定のマルチキャストアドレスから前記伝送暗号文を含む複数の目的アドレスを選択する選択ユニットと、を備えることを特徴とする請求項８に記載のネットワークにアクセスする装置。
【請求項１２】
前記アクセス情報によって指示情報を生成する生成モジュールと、
前記指示情報を自体がアクセスするネットワークアクセス機器に送信して、前記ネットワークアクセス機器が前記指示情報によって指定のマルチキャストアドレスから前記アクセス情報を含む複数の目的アドレスの選択を完成するようにし、前記複数の目的アドレスによって前記第２の端末に複数のＵＤＰマルチキャストメッセージをマルチキャストする送信モジュールと、をさらに備えることを特徴とする請求項８に記載のネットワークにアクセスする装置。
【請求項１３】
指定のマルチキャストアドレスに対してモニタリングするモニタリングモジュールと、
前記指定のマルチキャストアドレス内で複数のＵＤＰマルチキャストメッセージを受信すると、それぞれのＵＤＰマルチキャストメッセージ中の目的アドレスを取得する第２の取得モジュールと、
獲得したそれぞれのＵＤＰマルチキャストメッセージ中の目的アドレスによってＳＳＩＤ及びアクセスパスワードを含むアクセス情報を解析して獲得する解析モジュールと、
前記ＳＳＩＤ及びアクセスパスワードによって前記ＳＳＩＤに対応するネットワークアクセス機器にアクセスするプロセスを実行するアクセスモジュールと、を備えることを特徴とするネットワークにアクセスする装置。
【請求項１４】
前記解析モジュールは、
獲得したそれぞれのＵＤＰマルチキャストメッセージ中の目的アドレスによってアクセス情報に対応する伝送暗号文を抽出する抽出ユニットと、
プリセットアルゴリズムにより前記伝送暗号文に対して復号化計算を行って前記アクセス情報を還元して獲得する第２の計算ユニットと、を備えることを特徴とする請求項１３に記載のネットワークにアクセスする装置。
【請求項１５】
プロセッサーと、
前記プロセッサーによって実行可能な命令を記憶するメモリと、を備え、
前記プロセッサーは、
第２の端末を指示してネットワークにアクセスさせる、サービスセット識別子（ＳＳＩＤ）及びアクセスパスワードを含むアクセス情報を取得し、
指定のマルチキャストアドレスから前記アクセス情報を含む複数の目的アドレスを選択し、
前記複数の目的アドレスによって前記第２の端末に複数のユーザーデータグラムプロトコル（ＵＤＰ）マルチキャストメッセージをマルチキャストするように構成されることを特徴とするネットワークにアクセスする装置。
【請求項１６】
プロセッサーと、
前記プロセッサーによって実行可能な命令を記憶するメモリと、を備え、
前記プロセッサーは、
指定のマルチキャストアドレスに対してモニタリングし、
前記指定のマルチキャストアドレス内で複数のＵＤＰマルチキャストメッセージを受信すると、それぞれのＵＤＰマルチキャストメッセージ中の目的アドレスを取得し、
獲得したそれぞれのＵＤＰマルチキャストメッセージ中の目的アドレスによって、ＳＳＩＤ及びアクセスパスワードを含むアクセス情報を解析して獲得し、
前記ＳＳＩＤ及びアクセスパスワードによって前記ＳＳＩＤに対応するネットワークアクセス機器にアクセスするプロセスを実行するように構成されることを特徴とするネットワークにアクセスする装置。
【請求項１７】
プロセッサーに実行されることにより、請求項１から７のいずれか１項に記載のネットワークにアクセスする方法実現する、コンピュータ読取可能な記録媒体に記録されたプログラム。
【請求項１８】
請求項１７に記載のプログラムが記録されたコンピュータ読取可能な記録媒体。
【手続補正２】
【補正対象書類名】明細書
【補正対象項目名】全文
【補正方法】変更
【補正の内容】
【発明の詳細な説明】
【技術分野】
【０００１】
本発明は、通信技術の分野に関し、更に詳細には、ネットワークにアクセスする方法、装置、プログラム及び記録媒体に関する。
【背景技術】
【０００２】
通信技術の発展につれて、ますます多くのユーザーがワイヤレス接続モジュールを備えた端末を介してネットワークアクセス機器のワイヤレスネットワークにアクセスすることにより、当該ネットワークアクセス機器を介してネットワークを訪問する。
【０００３】
ここで、端末を設定して、ネットワークアクセス機器のワイヤレスネットワークにアクセスさせるプロセスは下記の通りである。即ち、端末は、まず、現在の環境に存在するネットワークアクセス機器がブロードキャストするアクセス信号を検出し、それぞれのネットワークアクセス機器がブロードキャストするアクセス信号を受信した後、ネットワークアクセス機器リストを生成し、ユーザーは当該リストからアクセスする必要があるネットワークアクセス機器を選択するとともにパスワードを入力する。このとき、端末は、パスワードを持った認証要求を当該選択されたネットワークアクセス機器に送信し、ネットワークアクセス機器は、パスワードの検証がパスすると、当該端末を認証機器であると記録するとともに、端末に認証がパスされた認証応答を返信し、端末は当該認証応答を受信した後、ネットワークアクセス機器に接続確立要求を送信し、ネットワークアクセス機器は当該要求によって端末をワイヤレスネットワークにアクセスさせる。
【発明の概要】
【発明が解決しようとする課題】
【０００４】
本発明は、関連する技術の問題を解決するために、ネットワークにアクセスする方法、装置、プログラム及び記録媒体を提供する。技術手段は下記の通りである。
【課題を解決するための手段】
【０００５】
本発明の第１の態様によれば、ネットワークにアクセスする方法が提供され、前記方法は、
第２の端末を指示してネットワークにアクセスさせるアクセス情報を取得するステップと、
指定のマルチキャストアドレスから前記アクセス情報を含む複数の目的アドレスを選択するステップと、
前記複数の目的アドレスによって前記第２の端末に複数のユーザーデータグラムプロトコル（ＵＤＰ）マルチキャストメッセージをマルチキャストするステップと、を含み、
前記アクセス情報は、サービスセット識別子（ＳＳＩＤ）及びアクセスパスワードを含む。
【０００６】
第１の態様における第１の実現可能な形態において、第１の端末が前記第２の端末を指示してネットワークにアクセスさせるアクセス情報を取得するステップは、
第２の端末を指示してアクセスさせる選択されたネットワークアクセス機器の前記ＳＳＩＤを受信するステップと、
ローカルに前記ＳＳＩＤに対応するアクセスパスワードが保存されているかを照会するステップと、
前記ＳＳＩＤに対応するアクセスパスワードが保存されている場合、前記ＳＳＩＤ及び前記ＳＳＩＤに対応するアクセスパスワードを、前記第２の端末を指示してネットワークにアクセスさせるアクセス情報と確定するステップと、を含む。
【０００７】
第１の態様における第１の実現可能な形態に組み合わせて、第２の実現可能な形態において、前記ローカルに前記ＳＳＩＤに対応するアクセスパスワードが保存されているかを照会するステップの後、前記方法は、
前記ＳＳＩＤに対応するアクセスパスワードが保存されていない場合、入力された前記ＳＳＩＤに対応するアクセスパスワードを取得し、
前記ＳＳＩＤ及び入力された前記ＳＳＩＤに対応するアクセスパスワードを、前記第２の端末を指示してネットワークにアクセスさせるアクセス情報と確定するステップをさらに含む。
【０００８】
第１の態様における第３の実現可能な形態において、前記指定のマルチキャストアドレスから前記アクセス情報を含む複数の目的アドレスを選択するステップは、
プリセットアルゴリズムにより前記アクセス情報に対して暗号化計算を行って前記アクセス情報に対応する伝送暗号文を獲得するステップと、
前記伝送暗号文によって指定のマルチキャストアドレスから前記伝送暗号文を含む複数の目的アドレスを選択するステップと、を含む。
【０００９】
第１の態様における第４の実現可能な形態において、第１の端末が前記第２の端末を指示してネットワークにアクセスさせるアクセス情報を取得するステップの後、前記方法は、
前記アクセス情報によって指示情報を生成するとともに、前記指示情報を自体がアクセスするネットワークアクセス機器に送信して、前記ネットワークアクセス機器が前記指示情報によって指定のマルチキャストアドレスから前記アクセス情報を含む複数の目的アドレスの選択を完成するようにし、前記複数の目的アドレスによって前記第２の端末に複数のＵＤＰマルチキャストメッセージをマルチキャストするステップをさらに含む。
【００１０】
本発明の第２の態様によれば、ネットワークにアクセスする方法が提供され、前記方法は、
指定のマルチキャストアドレスに対してモニタリングするステップと、
前記指定のマルチキャストアドレス内で複数のＵＤＰマルチキャストメッセージを受信すると、それぞれのＵＤＰマルチキャストメッセージ中の目的アドレスを取得するステップと、
獲得したそれぞれのＵＤＰマルチキャストメッセージ中の目的アドレスによってアクセス情報を解析して獲得するステップと、
前記ＳＳＩＤ及びアクセスパスワードによって前記ＳＳＩＤに対応するネットワークアクセス機器にアクセスするプロセスを実行するステップと、を含み、
前記アクセス情報は、ＳＳＩＤ及びアクセスパスワードを含む。
【００１１】
第２の態様における第１の実現可能な形態において、前記獲得したそれぞれのＵＤＰマルチキャストメッセージ中の目的アドレスによってアクセス情報を解析して獲得するステップは、
獲得したそれぞれのＵＤＰマルチキャストメッセージ中の目的アドレスによってアクセス情報に対応する伝送暗号文を抽出するステップと、
プリセットアルゴリズムにより前記伝送暗号文に対して復号化計算を行って前記アクセス情報を還元して獲得するステップと、を含む。
【００１２】
本発明の第３の態様によれば、ネットワークにアクセスする装置が提供され、前記装置は、
第２の端末を指示してネットワークにアクセスさせる、サービスセット識別子（ＳＳＩＤ）及びアクセスパスワードを含むアクセス情報を取得する第１の取得モジュールと、
指定のマルチキャストアドレスから前記アクセス情報を含む複数の目的アドレスを選択する選択モジュールと、
前記複数の目的アドレスによって前記第２の端末に複数のユーザーデータグラムプロトコル（ＵＤＰ）マルチキャストメッセージをマルチキャストするマルチキャストモジュールと、を備える。
【００１３】
第３の態様における第１の実現可能な形態において、前記第１の取得モジュールは、
第２の端末を指示してアクセスさせる選択されたネットワークアクセス機器の前記ＳＳＩＤを受信する受信ユニットと、
ローカルに前記ＳＳＩＤに対応するアクセスパスワードが保存されているかを照会する照会ユニットと、
前記ＳＳＩＤに対応するアクセスパスワードが保存されている場合、前記ＳＳＩＤ及び前記ＳＳＩＤに対応するアクセスパスワードを、前記第２の端末を指示してネットワークにアクセスさせるアクセス情報と確定する第１の確定ユニットと、を備える。
【００１４】
第３の態様における第１の実現可能な形態に組み合わせて、第２の実現可能な形態において、前記第１の取得モジュールは、
前記ＳＳＩＤに対応するアクセスパスワードが保存されていない場合、入力された前記ＳＳＩＤに対応するアクセスパスワードを取得する取得ユニットと、
前記ＳＳＩＤ及び入力された前記ＳＳＩＤに対応するアクセスパスワードを、前記第２の端末を指示してネットワークにアクセスさせるアクセス情報と確定する第２の確定ユニットと、をさらに備える。
【００１５】
第３の態様における第３の実現可能な形態において、前記選択モジュールは、
プリセットアルゴリズムにより前記アクセス情報に対して暗号化計算を行って前記アクセス情報に対応する伝送暗号文を獲得する第１の計算ユニットと、
前記伝送暗号文によって指定のマルチキャストアドレスから前記伝送暗号文を含む複数の目的アドレスを選択する選択ユニットと、を備える。
【００１６】
第３の態様における第４の実現可能な形態において、前記装置は、
前記アクセス情報によって指示情報を生成する生成モジュールと、
前記指示情報を自体がアクセスするネットワークアクセス機器に送信して、前記ネットワークアクセス機器が前記指示情報によって指定のマルチキャストアドレスから前記アクセス情報を含む複数の目的アドレスの選択を完成するようにし、前記複数の目的アドレスによって前記第２の端末に複数のＵＤＰマルチキャストメッセージをマルチキャストする送信モジュールと、をさらに備える。
【００１７】
本発明の第４の態様によれば、ネットワークにアクセスする装置が提供され、前記装置は、
指定のマルチキャストアドレスに対してモニタリングするモニタリングモジュールと、
前記指定のマルチキャストアドレス内で複数のＵＤＰマルチキャストメッセージを受信すると、それぞれのＵＤＰマルチキャストメッセージ中の目的アドレスを取得する第２の取得モジュールと、
獲得したそれぞれのＵＤＰマルチキャストメッセージ中の目的アドレスによってＳＳＩＤ及びアクセスパスワードを含むアクセス情報を解析して獲得する解析モジュールと、
前記ＳＳＩＤ及びアクセスパスワードによって前記ＳＳＩＤに対応するネットワークアクセス機器にアクセスするプロセスを実行するアクセスモジュールと、を備える。
【００１８】
第４の態様における第１の実現可能な形態において、前記解析モジュールは、
獲得したそれぞれのＵＤＰマルチキャストメッセージ中の目的アドレスによってアクセス情報に対応する伝送暗号文を抽出する抽出ユニットと、
プリセットアルゴリズムにより前記伝送暗号文に対して復号化計算を行って前記アクセス情報を還元して獲得する第２の計算ユニットと、を備える。
【００１９】
本発明の第５の態様によれば、ネットワークにアクセスする装置が提供され、前記装置は、
プロセッサーと、
前記プロセッサーによって実行可能な命令を記憶するメモリと、を備え、
前記プロセッサーは、
第２の端末を指示してネットワークにアクセスさせる、サービスセット識別子（ＳＳＩＤ）及びアクセスパスワードを含むアクセス情報を取得し、
指定のマルチキャストアドレスから前記アクセス情報を含む複数の目的アドレスを選択し、
前記複数の目的アドレスによって前記第２の端末に複数のユーザーデータグラムプロトコル（ＵＤＰ）マルチキャストメッセージをマルチキャストするように構成される。
【００２０】
本発明の第６の態様によれば、ネットワークにアクセスする装置が提供され、前記装置は、
プロセッサーと、
前記プロセッサーによって実行可能な命令を記憶するメモリと、を備え、
前記プロセッサーは、
指定のマルチキャストアドレスに対してモニタリングし、
前記指定のマルチキャストアドレス内で複数のＵＤＰマルチキャストメッセージを受信すると、それぞれのＵＤＰマルチキャストメッセージ中の目的アドレスを取得し、
獲得したそれぞれのＵＤＰマルチキャストメッセージ中の目的アドレスによって、ＳＳＩＤ及びアクセスパスワードを含むアクセス情報を解析して獲得し、
前記ＳＳＩＤ及びアクセスパスワードによって前記ＳＳＩＤに対応するネットワークアクセス機器にアクセスするプロセスを実行するように構成される。
本発明の第７の態様によれば、
プロセッサーに実行されることにより、上記のネットワークにアクセスする方法を実現する、コンピュータ読取可能な記録媒体に記録されたプログラムを提供する。
本発明の第８の態様によれば、
上記プログラムが記録されたコンピュータ読取可能な記録媒体を提供する。
【発明の効果】
【００２１】
本発明が提供する技術的案によれば、以下のような有益な効果を含むことができる。即ち、
第１の端末を介して第２の端末を指示してネットワークにアクセスさせるアクセス情報を、前記アクセス情報を含む複数のマルチキャストアドレスに記憶するとともに、マルチキャスト伝送方式で第２の端末に送信する。このようにして、第２の端末が簡単にネットワークにアクセスすることを実現でき、複雑な操作に起因する人間・機械の相互作用性が低下する不具合を防止することができ、ネットワークにアクセスする効率を向上させることができる。
【００２２】
なお、前記一般的な記載及び後述の詳細な記載は、単なる例示的で解析的な記載であり、本発明を限定しない。
【図面の簡単な説明】
【００２３】
以下の図面は、明細書に組み入れて本明細書の一部分を構成し、本発明に該当する実施例を例示するとともに、明細書とともに本発明の原理を解析する。
【図１】一例示的な実施形態によるネットワークにアクセスする方法を示すフローチャートである。
【図２】一例示的な実施形態によるネットワークにアクセスする方法を示すフローチャートである。
【図３】一例示的な実施形態によるネットワークにアクセスする方法を示すフローチャートである。
【図４】一例示的な実施形態によるネットワークにアクセスする方法を示すフローチャートである。
【図５】一例示的な実施形態によるネットワークにアクセスする方法を示すフローチャートである。
【図６】一例示的な実施形態によるネットワークにアクセスする装置を示すブロック図である。
【図７】一例示的な実施形態によるネットワークにアクセスする装置を示すブロック図である。
【図８】一例示的な実施形態によるネットワークにアクセスする装置を示すブロック図（端末の一般的な構造）である。
【図９】一例示的な実施形態によるネットワークにアクセスする装置を示すブロック図（ネットワークアクセス機器の一般的な構造）である。
【図１０】一例示的な実施形態によるネットワークにアクセスする装置を示すブロック図（端末の一般的な構造）である。
【発明を実施するための形態】
【００２４】
本発明の目的、技術手段、及び利点をより明確にするために、本発明の実施形態について、以下図面を参照しながらさらに詳細に説明する。
【００２５】
本発明の一例示的な実施例は、ネットワークにアクセスする方法を提供し、前記方法の実施例は端末に適用される。図１を参照すると、前記方法は、
第１の端末は、第２の端末を指示してネットワークにアクセスさせるアクセス情報を取得するステップ１０１と、
指定のマルチキャストアドレスからアクセス情報を含む複数の目的アドレスを選択するステップ１０２と、
複数の目的アドレスによって第２の端末に複数のユーザーデータグラムプロトコル（ＵＤＰ）マルチキャストメッセージをマルチキャストするステップ１０３と、を含み、
前記アクセス情報は、サービスセット識別子（ＳＳＩＤ）及びアクセスパスワードを含む。
【００２６】
本発明の実施例は、第１の端末を介して第２の端末を指示してネットワークにアクセスさせるアクセス情報を、前記アクセス情報を含む複数のマルチキャストアドレスに記憶し、マルチキャスト伝送方式で第２の端末に送信する。このようにして、第２の端末が簡単にネットワークにアクセスすることを実現でき、複雑な操作に起因する人間・機械の相互作用性が低下する不具合を防止することができ、ネットワークにアクセスする効率を向上させることができる。
【００２７】
本発明の他の一例示的な実施例は、ネットワークにアクセスする方法を提供し、前記方法の実施例は端末に適用される。図２を参照すると、前記方法は、
第２の端末が指定のマルチキャストアドレスに対してモニタリングするステップ２０１と、
指定のマルチキャストアドレス内で複数のＵＤＰマルチキャストメッセージを受信すると、それぞれのＵＤＰマルチキャストメッセージ中の目的アドレスを取得するステップ２０２と、
獲得したそれぞれのＵＤＰマルチキャストメッセージ中の目的アドレスによって、アクセス情報を解析して獲得するステップ２０３と、
ＳＳＩＤ及びアクセスパスワードによってＳＳＩＤに対応するネットワークアクセス機器にアクセスするプロセスを実行するステップ２０４と、を含み、
前記アクセス情報は、ＳＳＩＤ及びアクセスパスワードを含む。
【００２８】
本発明の実施例は、第２の端末を介して指定のマルチキャストアドレスをモニタリングするとともに、指定のマルチキャストアドレスから複数のマルチキャストメッセージを受信した後、それぞれのマルチキャストメッセージ中のマルチキャストアドレスフィールドによってアクセス情報を還元し、前記アクセス情報によってネットワークにアクセスする操作を行う。このようにして、第２の端末が簡単にネットワークにアクセスすることを実現でき、複雑な操作に起因する人間・機械の相互作用性が低下する不具合を防止することができ、ネットワークにアクセスする効率を向上させることができる。
【００２９】
図３を参照すると、本発明の他の一例示的な実施例は、ネットワークにアクセスする方法を提供する。
【００３０】
なお、本発明の実施例では、第２の端末は、１つ又は複数のネットワークへのアクセスを待機中のスマート端末であってもよい。前記第２の端末は、スマート携帯電話、タブレットＰＣなどのスマート端末であってもよく、また、スマートウェア機器、スマート家電機器などの、入力装置を備えていないスマート端末であってもよい。そして、第１の端末は、スマート家庭用アプリケーションプログラムをインストールした携帯電話、タブレットＰＣなどの機器であってもよい。
【００３１】
前記方法は、下記のようなステップを含んでもよい。即ち、
ステップ３０１：第１の端末は、第２の端末を指示してネットワークにアクセスさせるサービスセット識別子（ＳＳＩＤ）及びアクセスパスワードを含むアクセス情報を取得する。
【００３２】
本ステップは、第１の端末のスマート家庭用アプリケーションプログラムでトリガされて実行されてもよい。ユーザーは、それぞれの第２の端末を作動させた後、それぞれの第２の端末を設定して、ネットワークへのアクセスモードに入らせる。そして、ユーザーは、第１の端末を操作して、スマート家庭用アプリケーションプログラムを作動させる。この時、第１の端末は、現在の環境中のネットワークアクセス機器を検索して、ネットワークアクセス機器リストを生成する。前記ネットワークアクセス機器リストには、少なくとも現在検出されたそれぞれのネットワークアクセス機器に対応するＳＳＩＤ（Ｓｅｒｖｉｃｅ Ｓｅｔ Ｉｄｅｎｔｉｆｉｅｒ、サービスセット識別子）が含まれる。ユーザーは、前記ネットワークアクセス機器リストからネットワークアクセス機器を一つ選択し、第２の端末を指示して、その選択されたネットワークアクセス機器にアクセスさせるようにする。
【００３３】
対応して、ステップ３０１は、下記のようなステップを経て実現されてもよい。
【００３４】
ステップ３０１１：第２の端末を指示してアクセスさせる選択されたネットワークアクセス機器のＳＳＩＤを受信する。
【００３５】
このステップにおいて、ユーザーは前記ネットワークアクセス機器リストから選択した後、前記ネットワークアクセス機器リストから、第２の端末を指示してアクセスさせる選択したネットワークアクセス機器に対応するＳＳＩＤを獲得する。
【００３６】
ステップ３０１２：ローカルに前記ＳＳＩＤに対応するアクセスパスワードが保存されているかを照会する。
【００３７】
第１の端末が前記第２の端末を指示してアクセスさせる選択されたネットワークアクセス機器にアクセスしたことがあった場合、第１の端末には、前記ネットワークアクセス機器に対応するＳＳＩＤ及びアクセスパスワードが保存されるので、第１の端末自体が保存されたＳＳＩＤとアクセスパスワードとの対応関係から、第２の端末を指示してアクセスさせる選択されたネットワークアクセス機器に対応するＳＳＩＤによって、前記ＳＳＩＤに対応する記録が存在するかを照会する。
【００３８】
照会されると、ステップ３０１３を実行し、照会されない場合、ステップ３０１４を実行する。
【００３９】
ステップ３０１３：ＳＳＩＤに対応するアクセスパスワードが保存されている場合、ＳＳＩＤ及びＳＳＩＤに対応するアクセスパスワードを、第２の端末を指示してネットワークにアクセスさせるアクセス情報と確定する。
【００４０】
ステップ３０１４：ＳＳＩＤに対応するアクセスパスワードが保存されていない場合、入力されたＳＳＩＤに対応するアクセスパスワードを取得する。
【００４１】
第１の端末自体が保存されたＳＳＩＤとアクセスパスワードとの対応関係から照会されなかった場合、プロンプターボックスがポップアップされてユーザーにアクセスパスワードを入力する操作を行うようにヒントし、ユーザーがアクセスパスワードを入力した後、送信ボタンをクリックすると、入力したアクセスパスワードを取得する。
【００４２】
ステップ３０１５：ＳＳＩＤ及び入力されたＳＳＩＤに対応するアクセスパスワードを、第２の端末を指示してネットワークにアクセスさせるアクセス情報と確定する。
【００４３】
ステップ３０２：指定のマルチキャストアドレスからアクセス情報を含む複数の目的アドレスを選択する。
【００４４】
本ステップは、下記のようなステップを経て実現されてもよい。
【００４５】
ステップ３０２１：プリセットアルゴリズムによりアクセス情報に対して暗号化計算を行い、アクセス情報に対応する伝送暗号文を獲得する。
【００４６】
ここで、伝送暗号文は、指定の長さの数字で構成されたデータ文字列である。
【００４７】
ステップ３０２２：伝送暗号文によって指定のマルチキャストアドレスから伝送暗号文を含む複数のアドレスを選択する。
【００４８】
本発明の実施例では、複数のＵＤＰ（Ｕｓｅｒ Ｄａｔａｇｒａｍ Ｐｒｏｔｏｃｏｌ、ユーザーデータグラムプロトコル）マルチキャストメッセージ中の目的アドレスで暗号化された伝送暗号文を携帯し、ＵＤＰマルチキャストメッセージのデータ内容で内容を伝送することではない。
【００４９】
ここで、目的アドレス中の最後の２つのバイト（ｂｙｔｅ）を選択して、暗号化された伝送暗号文を携帯する。即ち、目的アドレス中の前の２つのバイトは、事前に設定したものであり、最後の２つのバイトは生成された伝送暗号文によって選択されたものであり、最終に確定された目的アドレスがマルチキャストに使用される目的アドレスである。ＵＤＰマルチキャストメッセージ中の目的アドレスフィールドの内容が制限されるため、４つのバイトの内容のみ、即ち、目的ＩＰ（Ｉｎｔｅｒｎｅｔ Ｐｒｏｔｏｃｏｌ、インターネットプロトコル）アドレスのみを保存することができ、送信するデータ量は４つのバイトよりもはるかに多いので、複数のＵＤＰマルチキャストメッセージの目的アドレスでともに同一のアクセス情報に対応する伝送暗号文を送信する必要があり、選択されたそれぞれの目的アドレスは伝送暗号文の一部を含む。
【００５０】
また、ここで、マルチキャスト転送は、ＩＰ（Ｉｎｔｅｒｎｅｔ Ｐｒｏｔｏｃｏｌ）アドレス中のプライベートクラスＤアドレス（ｐｒｉｖａｔｅ ｃｌａｓｓ Ｄ ａｄｄｒｅｓｓ）を使用して行われ、その中に含まれる複数のＩＰアドレスをマルチキャストアドレスとして、マルチキャスト転送を行うために使用される。好ましくは、２２４.２３６.０.０-２２４.２３６.２５５.２５５を選択して指定のマルチキャストアドレスとする。ここで、２２４.２３６を本発明の実施例での目的アドレス中の前の２つのバイトとする。
【００５１】
伝送暗号文によって目的アドレスを選択する過程は、下記の通りである。即ち、伝送暗号文に対して、指定されたビット（ｂｉｔ）数に応じて分割して、複数のデータセグメントを取得し、順番に２つのデータセグメントを選択して目的アドレス中の２つのバイトを充填し、１つの目的アドレスを生成する。
【００５２】
好ましくは、伝送暗号文を含む目的アドレスを生成する前に、前記伝送暗号文の関連情報を含む複数の目的アドレスを生成する。関連情報は、伝送暗号文の長さ、データ量などを含むが、これに限定されない。ここで、関連情報に対してプリセットアルゴリズム演算を行って関連情報に対応する伝送暗号文を獲得し、前記関連情報に対応する伝送暗号文によって対応する目的アドレスを選択する。
【００５３】
ステップ３０３：複数の目的アドレスによって第２の端末にＵＤＰマルチキャストメッセージをマルチキャストする。
【００５４】
選択された複数の目的アドレスによって複数のＵＤＰマルチキャストメッセージを生成し、生成した複数のＵＤＰマルチキャストメッセージを順番に送信する。
【００５５】
ステップ３０４：第２の端末は、指定のマルチキャストアドレスに対してモニタリングする。
【００５６】
１つ又は複数のマルチキャストアドレスを介してアクセス情報をマルチキャスト送信することができるので、第２の端末は、マルチキャスト送信される複数のマルチキャストアドレスに対してモニタリングする必要がある。対応して、ユーザーは、第２の端末のネットワークアクセスモードを作動させた後、第２の端末は、指定のマルチキャストアドレスに対してモニタリングする。
【００５７】
なお、本発明の実施例は、１つ又は複数の第２の端末を含むことができ、複数の第２の端末が存在する場合、それぞれの第２の端末はステップ３０４からステップ３０７までのプロセスを実行する。
【００５８】
ステップ３０５：指定のマルチキャストアドレス内で複数のＵＤＰマルチキャストメッセージを受信すると、それぞれのＵＤＰマルチキャストメッセージ中の目的アドレスを獲得する。
【００５９】
ステップ３０６：獲得した各ＵＤＰマルチキャストメッセージ中の目的アドレスによってＳＳＩＤ及びアクセスパスワードを含むアクセス情報を解析して獲得する。
【００６０】
本ステップは、下記のようなステップを経て実現されてもよい。
【００６１】
ステップ３０６１：獲得した各ＵＤＰマルチキャストメッセージ中の目的アドレスによってアクセス情報に対応する伝送暗号文を抽出する。
【００６２】
ここで、受信されたＵＤＰマルチキャストメッセージの順序に応じて、それぞれの目的アドレス中の最後の２つのバイトを順番に抽出し、抽出された内容を組み合わせてアクセス情報に対応する伝送暗号文を構成する。
【００６３】
ステップ３０６２：プリセットアルゴリズムにより伝送暗号文に対して復号化計算を行って、アクセス情報を還元して獲得する。
【００６４】
ステップ３０７：ＳＳＩＤ及びアクセスパスワードによってＳＳＩＤに対応するネットワークアクセス機器にアクセスするプロセスを実行する。
【００６５】
ここで、アクセスするプロセスは、下記の通りである。即ち、前記ＳＳＩＤ及びアクセスパスワードによって認証要求を生成し、ＳＳＩＤに対応するネットワークアクセス機器に前記認証要求を送信する。ネットワークアクセス機器は、前記認証がパスすると、第２の端末に認証がパスされた認証応答を返信し、第２の端末は、前記認証応答を受信した後、ネットワークアクセス機器に接続確立要求を送信し、ネットワークアクセス機器は、前記要求によって第２の端末をワイヤレスネットワークにアクセスさせる。
【００６６】
図４を参照すると、本発明の他の一例示的な実施例は、ネットワークにアクセスする方法を提供する。前記方法は、下記のようなステップを含んでもよい。
【００６７】
ステップ４０１：第１の端末は、第２の端末を指示してネットワークにアクセスさせるアクセス情報を取得する。ここで、前記アクセス情報は、サービスセット識別子（ＳＳＩＤ）及びアクセスパスワードを含む。
【００６８】
本ステップで第２の端末を指示してネットワークにアクセスするアクセス情報を獲得する過程は、ステップ３０１で述べた内容と同じであるので、ここで説明を省略する。
【００６９】
ステップ４０２：アクセス情報によって指示情報を生成するとともに、前記指示情報を自体がアクセスするネットワークアクセス機器に送信して、ネットワークアクセス機器が指示情報によって指定のマルチキャストアドレスからアクセス情報を含む複数の目的アドレスの選択を完成するようにし、複数の目的アドレスによって第２の端末に複数のＵＤＰマルチキャストメッセージをマルチキャストする。
【００７０】
ステップ４０３：ネットワークアクセス機器は、第１の端末が送信した指示情報を受信する。
【００７１】
ステップ４０４：ネットワークアクセス機器は、指示情報でアクセス情報を抽出し、指定のマルチキャストアドレスからアクセス情報を含む複数の目的アドレスを選択する。
【００７２】
本ステップでの過程は、ステップ３０２で述べた内容と同じであるので、ここで説明を省略する。
【００７３】
ステップ４０５：複数の目的アドレスによって第２の端末にＵＤＰマルチキャストメッセージをマルチキャストする。
【００７４】
ステップ４０６：第２の端末は、指定のマルチキャストアドレスに対してモニタリングする。
【００７５】
ステップ４０７：指定のマルチキャストアドレスでＵＤＰマルチキャストメッセージを受信すると、ＵＤＰマルチキャストメッセージを解析して、アクセス情報を取得する。ここで、前記アクセス情報は、ＳＳＩＤ及びアクセスパスワードを含む。
【００７６】
ステップ４０８：ＳＳＩＤ及びアクセスパスワードによってＳＳＩＤに対応するネットワークアクセス機器にアクセスするプロセスを実行する。
【００７７】
本ステップでの過程は、ステップ３０７で述べた内容と同じであるので、ここで説明を省略する。
【００７８】
本発明の実施例は、第１の端末を介して第２の端末を指示してネットワークにアクセスさせるアクセス情報を、前記アクセス情報を含む複数のマルチキャストアドレスに記憶し、マルチキャスト伝送方式で第２の端末に送信する。このようにして、第２の端末が簡単にネットワークにアクセスすることを実現でき、複雑な操作に起因する人間・機械の相互作用性が低下する不具合を防止することができ、ネットワークにアクセスする効率を向上させることができる。
【００７９】
また、第２の端末を介して指定のマルチキャストアドレスをモニタリングするとともに、指定のマルチキャストアドレスから複数のマルチキャストメッセージを受信した後、それぞれのマルチキャストメッセージ中のマルチキャストアドレスフィールドによってアクセス情報を還元し、前記アクセス情報によってネットワークにアクセスする操作を行う。このようにして、第２の端末が簡単にネットワークにアクセスすることを実現でき、複雑な操作に起因する人間・機械の相互作用性が低下する不具合を防止することができ、ネットワークにアクセスする効率を向上させることができる。
【００８０】
図５を参照すると、本発明の他の一例示的な実施例は、ネットワークにアクセスする方法を提供する。
【００８１】
なお、本発明の実施例では、第２の端末は、１つ又は複数のネットワークへのアクセスを待機中のスマート端末であってもよい。前記第２の端末は、スマート携帯電話、タブレットＰＣなどのスマート端末であってもよく、また、スマートウェア機器、スマート家電機器などの、入力装置を備えていないスマート端末であってもよい。そして、第１の端末は、スマート家庭用アプリケーションプログラムをインストールしたネットワークアクセス機器であってもよい。
【００８２】
前記方法は、下記のようなステップを含んでもよい。即ち、
ステップ５０１：第１の端末は、第２の端末を指示してネットワークにアクセスさせるサービスセット識別子（ＳＳＩＤ）及びアクセスパスワードを含むアクセス情報を取得する。ここで、
本ステップは、第１の端末のスマート家庭用アプリケーションプログラムでトリガされて実行されてもよい。ユーザーは、それぞれの第２の端末を作動させた後、それぞれの第２の端末を設定して、ネットワークへのアクセスモードに入らせる。そして、ユーザーは、第１の端末を操作して、スマート家庭用アプリケーションプログラムを作動させる。この時、第１の端末は、現在の環境中のネットワークアクセス機器を検索して、ネットワークアクセス機器リストを生成する。前記ネットワークアクセス機器リストには、少なくとも現在検出されたそれぞれのネットワークアクセス機器に対応するＳＳＩＤが含まれる。ユーザーは、前記ネットワークアクセス機器リストからネットワークアクセス機器を一つ選択し、第２の端末を指示して、その選択されたネットワークアクセス機器にアクセスできるようにする。
【００８３】
ここで、第１の端末はネットワークアクセス機器であるため、生成されたネットワークアクセス機器リストに自体のＳＳＩＤが含まれてもよい。
【００８４】
対応して、ステップ５０１は、下記のようなステップを経て実現されてもよい。
【００８５】
ステップ５０１１：第２の端末を指示してアクセスさせる選択されたネットワークアクセス機器のＳＳＩＤを受信する。
【００８６】
このステップにおいて、ユーザーは前記ネットワークアクセス機器リストから選択した後、前記ネットワークアクセス機器リストから、第２の端末を指示してアクセスさせる選択したネットワークアクセス機器に対応するＳＳＩＤを獲得する。
【００８７】
ステップ５０１２：ローカルに前記ＳＳＩＤに対応するアクセスパスワードが保存されているかを照会する。
【００８８】
第１の端末が前記第２の端末を指示してアクセスさせる選択されたネットワークアクセス機器にアクセスしたことがあった場合、第１の端末には、前記ネットワークアクセス機器に対応するＳＳＩＤ及びアクセスパスワードが保存されるので、第１の端末自体が保存されたＳＳＩＤとアクセスパスワードとの対応関係から、第２の端末を指示してアクセスさせる選択されたネットワークアクセス機器に対応するＳＳＩＤによって、前記ＳＳＩＤに対応する記録が存在するかを照会する。
【００８９】
照会されると、ステップ５０１３を実行し、照会されない場合にステップ５０１４を実行する。
【００９０】
ステップ５０１３：ＳＳＩＤに対応するアクセスパスワードが保存されている場合、ＳＳＩＤ及びＳＳＩＤに対応するアクセスパスワードを、第２の端末を指示してネットワークにアクセスさせるアクセス情報と確定する。
【００９１】
ステップ５０１４：ＳＳＩＤに対応するアクセスパスワードが保存されていない場合、入力されたＳＳＩＤに対応するアクセスパスワードを取得する。
【００９２】
第１の端末自体が保存されたＳＳＩＤとアクセスパスワードとの対応関係から照会されなかった場合、プロンプターボックスがポップアップされ、ユーザーにアクセスパスワードを入力する操作を行うようにヒントし、ユーザーがアクセスパスワードを入力した後、送信ボタンをクリックすると、入力したアクセスパスワードを取得する。
【００９３】
ステップ５０１５：ＳＳＩＤ及び入力されたＳＳＩＤに対応するアクセスパスワードを、第２の端末を指示してネットワークにアクセスさせるアクセス情報と確定する。
【００９４】
ステップ５０２：指定のマルチキャストアドレスからアクセス情報を含む複数の目的アドレスを選択する。
【００９５】
本ステップは、下記のようなステップを経て実現されてもよい。
【００９６】
ステップ５０２１：プリセットアルゴリズムによりアクセス情報に対して暗号化計算を行い、アクセス情報に対応する伝送暗号文を獲得する。
【００９７】
ステップ５０２２：伝送暗号文によって指定のマルチキャストアドレスから伝送暗号文を含む複数のアドレスを選択する。
【００９８】
本発明の実施例では、複数のＵＤＰ（Ｕｓｅｒ Ｄａｔａｇｒａｍ Ｐｒｏｔｏｃｏｌ、ユーザーデータグラムプロトコル）マルチキャストメッセージ中の目的アドレスで暗号化された伝送暗号文を携帯し、ＵＤＰマルチキャストメッセージのデータ内容で内容を伝送することではない。
【００９９】
ここで、目的アドレス中の最後の２つのバイト（ｂｙｔｅ）を選択して、暗号化された伝送暗号文を携帯する。即ち、目的アドレス中の前の２つのバイトは、事前に設定したものであり、最後の２つのバイトは生成された伝送暗号文によって選択されたものであり、最終に確定された目的アドレスがマルチキャストに使用される目的アドレスである。ＵＤＰマルチキャストメッセージ中の目的アドレスフィールドの内容が制限されるため、４つのバイトの内容のみ、即ち、目的ＩＰ（Ｉｎｔｅｒｎｅｔ Ｐｒｏｔｏｃｏｌ、インターネットプロトコル）アドレスのみを保存することができ、送信するデータ量は４つのバイトよりもはるかに多いので、複数のＵＤＰマルチキャストメッセージの目的アドレスでともに同一のアクセス情報に対応する伝送暗号文を送信する必要があり、選択されたそれぞれの目的アドレスは伝送暗号文の一部を含む。
【０１００】
また、ここで、マルチキャスト転送は、ＩＰ（Ｉｎｔｅｒｎｅｔ Ｐｒｏｔｏｃｏｌ）アドレス中のプライベートクラスＤアドレス（ｐｒｉｖａｔｅ ｃｌａｓｓ Ｄ ａｄｄｒｅｓｓ）を使用して行われ、その中に含まれる複数のＩＰアドレスをマルチキャストアドレスとして、マルチキャスト転送を行うために使用される。好ましくは、２２４.２３６.０.０-２２４.２３６.２５５.２５５を選択して指定のマルチキャストアドレスとする。ここで、２２４.２３６を本発明の実施例での目的アドレス中の前の２つのバイトとする。
【０１０１】
伝送暗号文によって目的アドレスを選択する過程は、下記の通りである。即ち、伝送暗号文に対して、指定されたビット（ｂｉｔ）数に応じて分割して、複数のデータセグメントを取得し、順番に２つのデータセグメントを選択して目的アドレス中の２つのバイトを充填し、１つの目的アドレスを生成する。
【０１０２】
好ましくは、伝送暗号文を含む目的アドレスを生成する前に、前記伝送暗号文の関連情報を含む複数の目的アドレスを生成する。関連情報は、伝送暗号文の長さ、データ量などを含むが、これに限定されない。ここで、関連情報に対してプリセットアルゴリズム演算を行って関連情報に対応する伝送暗号文を獲得し、前記関連情報に対応する伝送暗号文によって対応する目的アドレスを選択する。
【０１０３】
ステップ５０３：複数の目的アドレスによって第２の端末にＵＤＰマルチキャストメッセージをマルチキャストする。
【０１０４】
選択された複数の目的アドレスによって複数のＵＤＰマルチキャストメッセージを生成し、生成した複数のＵＤＰマルチキャストメッセージを順番に送信する。
【０１０５】
ステップ５０４：第２の端末は、指定のマルチキャストアドレスに対してモニタリングする。
【０１０６】
１つ又は複数のマルチキャストアドレスを介してアクセス情報をマルチキャスト送信することができるので、第２の端末は、マルチキャスト送信される複数のマルチキャストアドレスに対してモニタリングする必要がある。対応して、ユーザーは、第２の端末のネットワークアクセスモードを作動させた後、第２の端末は、指定のマルチキャストアドレスに対してモニタリングする。
【０１０７】
なお、本発明の実施例は、１つ又は複数の第２の端末を含むことができ、複数の第２の端末が存在する場合、それぞれの第２の端末はステップ５０４からステップ５０７までのプロセスを実行する。
【０１０８】
ステップ５０５：指定のマルチキャストアドレス内で複数のＵＤＰマルチキャストメッセージを受信すると、それぞれのＵＤＰマルチキャストメッセージ中の目的アドレスを獲得する。
【０１０９】
ステップ５０６：獲得した各ＵＤＰマルチキャストメッセージ中の目的アドレスによってＳＳＩＤ及びアクセスパスワードを含むアクセス情報を解析して獲得する。
【０１１０】
本ステップは、下記のようなステップを経て実現されてもよい。
【０１１１】
ステップ５０６１：獲得した各ＵＤＰマルチキャストメッセージ中の目的アドレスによってアクセス情報に対応する伝送暗号文を抽出する。
【０１１２】
ここで、受信されたＵＤＰマルチキャストメッセージの順序に応じて、それぞれの目的アドレス中の最後の２つのバイトを順番に抽出し、抽出された内容を組み合わせてアクセス情報に対応する伝送暗号文を構成する。
【０１１３】
ステップ５０６２：プリセットアルゴリズムにより伝送暗号文に対して復号化計算を行って、アクセス情報を還元して獲得する。
【０１１４】
ステップ５０７：ＳＳＩＤ及びアクセスパスワードによってＳＳＩＤに対応するネットワークアクセス機器にアクセスするプロセスを実行する。
【０１１５】
ここで、アクセスするプロセスは、下記の通りである。即ち、前記ＳＳＩＤ及びアクセスパスワードによって認証要求を生成し、ＳＳＩＤに対応するネットワークアクセス機器に前記認証要求を送信する。ネットワークアクセス機器は、前記認証がパスすると、第２の端末に認証がパスされた認証応答を返信し、第２の端末は、前記認証応答を受信した後、ネットワークアクセス機器に接続確立要求を送信し、ネットワークアクセス機器は、前記要求によって第２の端末をワイヤレスネットワークにアクセスさせる。
【０１１６】
本発明の実施例は、第１の端末を介して第２の端末を指示してネットワークにアクセスさせるアクセス情報を、前記アクセス情報を含む複数のマルチキャストアドレスに記憶し、マルチキャスト伝送方式で第２の端末に送信する。このようにして、第２の端末が簡単にネットワークにアクセスすることを実現でき、複雑な操作に起因する人間・機械の相互作用性が低下する不具合を防止することができ、ネットワークにアクセスする効率を向上させることができる。
【０１１７】
また、第２の端末を介して指定のマルチキャストアドレスをモニタリングするとともに、指定のマルチキャストアドレスから複数のマルチキャストメッセージを受信した後、それぞれのマルチキャストメッセージ中のマルチキャストアドレスフィールドによってアクセス情報を還元し、前記アクセス情報によってネットワークにアクセスする操作を行う。このようにして、第２の端末が簡単にネットワークにアクセスすることを実現でき、複雑な操作に起因する人間・機械の相互作用性が低下する不具合を防止することができ、ネットワークにアクセスする効率を向上させることができる。
【０１１８】
前記例示的な実施例が提供したネットワークにアクセスする方法に対応して、本発明の他の一例示的な実施例は、ネットワークにアクセスする装置を提供する。図６を参照すると、前記装置は、
第２の端末を指示してネットワークにアクセスさせるサービスセット識別子（ＳＳＩＤ）及びアクセスパスワードを含むアクセス情報を取得する第１の取得モジュール６０１と、
指定のマルチキャストアドレスからアクセス情報を含む複数の目的アドレスを選択する選択モジュール６０２と、
複数の目的アドレスによって第２の端末に複数のユーザーデータグラムプロトコル（ＵＤＰ）マルチキャストメッセージをマルチキャストするマルチキャストモジュール６０３と、を備える。
【０１１９】
第１の取得モジュール６０１は、
第２の端末を指示してアクセスさせる選択されたネットワークアクセス機器のＳＳＩＤを受信する受信ユニット６０１１と、
ローカルに前記ＳＳＩＤに対応するアクセスパスワードが保存されているかを照会する照会ユニット６０１２と、
ＳＳＩＤに対応するアクセスパスワードが保存されている場合、ＳＳＩＤ及びＳＳＩＤに対応するアクセスパスワードを、第２の端末を指示してネットワークにアクセスさせるアクセス情報と確定する第１の確定ユニット６０１３と、を備える。
【０１２０】
第１の取得モジュール６０１は、
ＳＳＩＤに対応するアクセスパスワードが保存されていない場合、入力されたＳＳＩＤに対応するアクセスパスワードを取得する取得ユニット６０１４と、
ＳＳＩＤ及び入力されたＳＳＩＤに対応するアクセスパスワードを、第２の端末を指示してネットワークにアクセスさせるアクセス情報と確定する第２の確定ユニット６０１５と、をさらに備える。
【０１２１】
選択モジュール６０２は、
プリセットアルゴリズムによりアクセス情報に対して暗号化計算を行い、アクセス情報に対応する伝送暗号文を獲得する第１の計算ユニット６０２１と、
伝送暗号文によって指定のマルチキャストアドレスで伝送暗号文を含む複数のアドレスを選択する選択ユニット６０２２と、を備える。
【０１２２】
装置は、
アクセス情報によって指示情報を生成する生成モジュール６０４と、
指示情報を自体がアクセスするネットワークアクセス機器に送信して、ネットワークアクセス機器が指示情報によって指定のマルチキャストアドレスからアクセス情報を含む複数の目的アドレスの選択を完成するようにし、複数の目的アドレスによって第２の端末に複数のＵＤＰマルチキャストメッセージをマルチキャストする送信モジュール６０５と、をさらに備える。
【０１２３】
本発明の実施例は、第１の端末を介して第２の端末を指示してネットワークにアクセスさせるアクセス情報を、前記アクセス情報を含む複数のマルチキャストアドレスに記憶し、マルチキャスト伝送方式で第２の端末に送信する。このようにして、第２の端末が簡単にネットワークにアクセスすることを実現でき、複雑な操作に起因する人間・機械の相互作用性が低下する不具合を防止することができ、ネットワークにアクセスする効率を向上させることができる。
【０１２４】
前記例示的な実施例が提供したネットワークにアクセスする方法に対応して、本発明の他の一例示的な実施例は、ネットワークにアクセスする装置を提供する。図７を参照すると、前記装置は、
指定のマルチキャストアドレスに対してモニタリングするモニタリングモジュール７０１と、
指定のマルチキャストアドレス内で複数のＵＤＰマルチキャストメッセージを受信すると、それぞれのＵＤＰマルチキャストメッセージ中の目的アドレスを取得する第２の取得モジュール７０２と、
獲得したそれぞれのＵＤＰマルチキャストメッセージ中の目的アドレスによってＳＳＩＤ及びアクセスパスワードを含むアクセス情報を解析して獲得する解析モジュール７０３と、
ＳＳＩＤ及びアクセスパスワードによってＳＳＩＤに対応するネットワークアクセス機器にアクセスするプロセスを実行するためのアクセスモジュール７０４と、を備える。
【０１２５】
解析モジュール７０３は、
獲得したそれぞれのＵＤＰマルチキャストメッセージ中の目的アドレスによってアクセス情報に対応する伝送暗号文を抽出する抽出ユニット７０３１と、
プリセットアルゴリズムにより伝送暗号文に対して復号化計算を行って、アクセス情報を還元して獲得する第２の計算ユニット７０３２と、を備える。
【０１２６】
本発明の実施例は、第２の端末を介して指定のマルチキャストアドレスをモニタリングするとともに、指定のマルチキャストアドレスから複数のマルチキャストメッセージを受信した後、それぞれのマルチキャストメッセージ中のマルチキャストアドレスフィールドによってアクセス情報を還元し、前記アクセス情報によってネットワークにアクセスする操作を行う。このようにして、第２の端末が簡単にネットワークにアクセスすることを実現でき、複雑な操作に起因する人間・機械の相互作用性が低下する不具合を防止することができ、ネットワークにアクセスする効率を向上させることができる。
【０１２７】
前記例示的な実施例が提供したネットワークにアクセスする方法に対応して、本発明の他の例示的な実施例は、図８に示すように、ネットワークにアクセスする装置８００を提供する。本実施例の装置８００は、前記例示的な実施例が提供したネットワークにアクセスする方法に係る第１の端末である。
【０１２８】
図８は、一例示的な実施例に係るネットワークにアクセスする装置８００を示すブロック図である。例えば、装置８００は、携帯電話、コンピュータ、デジタルブロードキャスト端末、メッセージ送受信機、ゲーム機、タブレットデバイス、医療機器、フィットネス機器、ＰＤＡ等のものであってもよい。
【０１２９】
図８を参照すると、装置８００は、処理ユニット８０２、メモリ８０４、電源ユニット８０６、マルチメディアユニット８０８、オーディオユニット８１０、入力/出力（Ｉ/Ｏ）インターフェース８１２、センサーユニット８１４、及び通信ユニット８１６からなる群から選ばれる少なくとも１つを備えてもよい。
【０１３０】
処理ユニット８０２は、一般的には、装置８００の全体の操作、例えば、表示、電話呼び出し、データ通信、カメラ操作及び記録操作に関連する操作を制御する。処理ユニット８０２は、上述した方法におけるステップの一部又は全部を実現できるように、命令を実行する少なくとも１つのプロセッサー８２０を備えてもよい。また、処理ユニット８０２は、他のユニットとのインタラクションを便利にさせるように、少なくとも１つのモジュールを備えてもよい。例えば、処理ユニット８０２は、マルチメディアユニット８０８とのインタラクションを便利にさせるように、マルチメディアモジュールを備えてもよい。
【０１３１】
メモリ８０４は、装置８００での操作をサポートするように、各種のデータを記憶するように配置される。これらのデータは、例えば、装置８００で何れのアプリケーション又は方法を操作するための命令、連絡先データ、電話帳データ、メッセージ、画像、ビデオ等を含む。メモリ８０４は、何れの種類の揮発性又は不揮発性メモリ、例えば、ＳＲＡＭ（Ｓｔａｔｉｃ Ｒａｎｄｏｍ Ａｃｃｅｓｓ Ｍｅｍｏｒｙ）、ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（Ｐｒｏｇｒａｍｍａｂｌｅ ＲＯＭ）、ＲＯＭ（Ｒｅａｄ Ｏｎｌｙ Ｍｅｍｂｅｒ）、磁気メモリ、フラッシュメモリ、磁気ディスク、或いは光ディスクにより、或いはそれらの組み合わせにより実現することができる。
【０１３２】
電源ユニット８０６は、装置８００の各種ユニットに電力を供給するためのものであり、電源管理システム、１つ又は複数の電源、及び装置８００のために電力を生成、管理及び分配することに関連する他のユニットを備えてもよい。
【０１３３】
マルチメディアユニット８０８は、装置８００とユーザーとの間に出力インターフェースを提供するスクリーンを備えてもよい。スクリーンは、例えば、液晶ディスプレイ（ＬＣＤ）やタッチパネル（ＴＰ）を備えてもよい。スクリーンは、タッチパネルを備える場合、ユーザーからの入力信号を受信するように、タッチスクリーンになることができる。また、タッチパネルは、タッチや、スライドや、タッチパネル上の手振りを感知するように、少なくとも１つのタッチセンサーを有する。タッチセンサーは、タッチやスライド動作の境界を感知できるだけではなく、タッチやスライド操作と関連する持続時間や圧力も感知できる。一実施例では、マルチメディアユニット８０８は、フロントカメラ及び/又はバックカメラを有してもよい。装置８００が、例えば、撮影モードやビデオモードのような操作モードにある時、フロントカメラ及び/又はバックカメラが外部のマルチメディアデータを受信できる。フロントカメラ及びバックカメラのそれぞれは、固定の光学レンズ系であってもよいし、焦点距離及び光学ズーム能力を有するものであってもよい。
【０１３４】
オーディオユニット８１０は、オーディオ信号を出力及び/又は入力するように配置される。例えば、オーディオユニット８１０は、マイクロフォン（ＭｉＣ）を有してもよい。装置８００が、例えば、呼び出しモード、記録モード、又は音声認識モードのような操作モードにあるとき、マイクロフォンは、外部のオーディオ信号を受信するように配置される。受信したオーディオ信号は、メモリ８０４にさらに記憶されてもよいし、通信ユニット８１６を介して送信されてもよい。一実施例では、オーディオユニット８１０は、オーディオ信号を出力するためのスピーカをさらに備えてもよい。
【０１３５】
Ｉ/Ｏインターフェース８１２は、処理ユニット８０２と外部のインターフェースモジュールとの間にインターフェースを提供するためのものである。前記外部のインターフェースモジュールは、キーボードや、クリックホイールや、ボタン等であってもよい。これらのボタンは、ホームボタンや、音量ボタンや、スタートボタンや、ロックボタンであってもよいが、それらに限らない。
【０１３６】
センサーユニット８１４は、装置８００のために各方面の状態を評価する少なくとも１つのセンサーを備えてもよい。例えば、センサーユニット８１４は、装置８００のオン/オフ状態や、ユニットの相対的な位置を検出することができる。例えば、前記ユニットは、装置８００のディスプレイ及びキーパッドである。センサーユニット８１４は、装置８００又は装置８００の１つのユニットの位置の変化、ユーザーによる装置８００への接触の有無、装置８００の方向又は加速/減速、装置８００の温度変化などを検出することができる。センサーユニット８１４は、何れの物理的な接触もない場合に付近の物体を検出するように配置される近接センサーを有してもよい。センサーユニット８１４は、イメージングアプリケーションに用いるための光センサー、例えば、ＣＭＯＳ又はＣＣＤ画像センサーを有してもよい。一実施例では、当該センサーユニット８１４は、加速度センサー、ジャイロスコープセンサー、磁気センサー、圧力センサー又は温度センサーをさらに備えてもよい。
【０１３７】
通信ユニット８１６は、装置８００と他の設備の間との無線又は有線通信を便利にさせるように配置される。装置８００は、通信標準に基づく無線ネットワーク、例えば、ＷｉＦｉ、２Ｇ又は３Ｇ、又はそれらの組み合わせにアクセスできる。１つの例示的な実施例では、通信ユニット８１６は、ブロードキャストチャンネルを介して外部のブロードキャスト管理システムからのブロードキャスト信号又はブロードキャストに関する情報を受信する。１つの例示的な実施例では、前記通信ユニット８１６は、近距離通信を促進するために近距離無線通信（ＮＦＣ）モジュールをさらに備えてもよい。例えば、ＮＦＣモジュールは、無線周波数認識（ＲＦＩＤ：Ｒａｄｉｏ Ｆｒｅｑｕｅｎｃｙ ＩＤｅｎｔｉｆｉｃａｔｉｏｎ）技術、赤外線データ協会（ＩｒＤＡ：Ｉｎｆｒａｒｅｄ Ｄａｔａ Ａｓｓｏｃｉａｔｉｏｎ）技術、超広帯域無線（ＵＷＢ：Ｕｌｔｒａ Ｗｉｄｅ Ｂａｎｄ）技術、ブルートゥース（登録商標）（ＢＴ：Ｂｌｕｅｔｏｏｔｈ（登録商標））技術及び他の技術によって実現されてもよい。
【０１３８】
例示的な実施例では、装置８００は、上述した方法を実行するために、１つ又は複数の特定用途向け集積回路（ＡＳＩＣ：Ａｐｐｌｉｃａｔｉｏｎ Ｓｐｅｃｉｆｉｃ Ｉｎｔｅｇｒａｔｅｄ Ｃｉｒｃｕｉｔ）、デジタル信号プロセッサー（ＤＳＰ：Ｄｉｇｉｔａｌ Ｓｉｇｎａｌ Ｐｒｏｃｅｓｓｏｒ）、デジタル信号処理デバイス（ＤＳＰＤ：Ｄｉｇｉｔａｌ Ｓｉｇｎａｌ Ｐｒｏｃｅｓｓｉｎｇ Ｄｅｖｉｃｅ）、プログラマブルロジックデバイス（ＰＬＤ：Ｐｒｏｇｒａｍｍａｂｌｅ Ｌｏｇｉｃ Ｄｅｖｉｃｅ）、書替え可能ゲートアレイ（ＦＰＧＡ：Ｆｉｅｌｄ−Ｐｒｏｇｒａｍｍａｂｌｅ Ｇａｔｅ Ａｒｒａｙ）、コントローラ、マイクロコントローラ、マイクロプロセッサー、又は他の電子機器によって実現されてもよい。
【０１３９】
例示的な実施例では、命令を有する非一時的コンピュータ読み取り可能な記録媒体、例えば、命令を有するメモリ８０４をさらに提供する。前記命令は、装置８００のプロセッサー８２０により実行されて上述した方法を実現する。例えば、前記非一時的コンピュータ読み取り可能な記録媒体は、ＲＯＭ、ＲＡＭ、ＣＤ-ＲＯＭ、磁気テープ、フロッピー（登録商標）ディスク及び光データメモリ等であってもよい。
【０１４０】
本発明の実施例は、第１の端末を介して、第２の端末を指示してネットワークにアクセスさせるアクセス情報を、前記アクセス情報を含む複数のマルチキャストアドレスに記憶し、マルチキャスト伝送方式で第２の端末に送信する。このようにして、第２の端末が簡単にネットワークにアクセスすることを実現でき、複雑な操作に起因する人間・機械の相互作用性が低下する不具合を防止することができ、ネットワークにアクセスする効率を向上させることができる。
【０１４１】
図９は、一例示的な実施例に係るネットワークにアクセスする装置１９００を示すブロック図である。例えば、装置１９００はネットワークアクセス機器として提供されてもよい。図９を参照すると、装置１９００は、１つ以上のプロセッサーがさらに含まれた処理ユニット１９２２と、処理ユニット１９２２により実行可能な命令、例えばプログラムを記憶するメモリ１９３２を代表とするメモリリソースとを含む。メモリ１９３２に記憶されたアプリケーションプログラムは、１つ以上のそれぞれが一組の命令に対応するモジュールを含んでもよい。また、前記いずれか１つの実施例に提供された方法を実行するために、処理ユニット１９２２は命令を実行するように配置される。
【０１４２】
ここで、本実施例に係る装置１９００は、前記例示的な実施例に係るネットワークにアクセスする方法における第１の端末である。
【０１４３】
装置１９００は、装置１９００の電源管理を実行するように配置された電源ユニット１９２６と、装置１９００をインターネットに接続させるように配置された有線又は無線インターネットインターフェース１９５０と、入力/出力（Ｉ/Ｏ）インターフェース１９５８とを備えてもよい。装置１９００はメモリ１９３２に記憶された操作システム、例えばＷｉｎｄｏｗｓ（登録商標） Ｓｅｒｖｅｒ、Ｍａｃ ＯＳ Ｘ（登録商標）、Ｕｎｉｘ（登録商標）, Ｌｉｎｕｘ（登録商標）、ＦｒｅｅＢＳＤ（登録商標）などに基づいて操作できる。
【０１４４】
本発明の実施例は、第１の端末を介して、第２の端末を指示してネットワークにアクセスさせるアクセス情報を、前記アクセス情報を含む複数のマルチキャストアドレスに記憶し、マルチキャスト伝送方式で第２の端末に送信する。このようにして、第２の端末が簡単にネットワークにアクセスすることを実現でき、複雑な操作に起因する人間・機械の相互作用性が低下する不具合を防止することができ、ネットワークにアクセスする効率を向上させることができる。
【０１４５】
前記例示的な実施例が提供したネットワークにアクセスする方法に対応して、本発明の他の例示的な実施例は、図１０に示すように、ネットワークにアクセスする装置１０００を提供する。図１０は、一例示的な実施例に係るネットワークにアクセスする装置１０００を示すブロック図である。例えば、装置１０００は、携帯電話、コンピュータ、デジタルブロードキャスト端末、メッセージ送受信機、ゲーム機、タブレットデバイス、医療機器、フィットネス機器、ＰＤＡ等のものであってもよい。
【０１４６】
図１０を参照すると、装置１０００は、処理ユニット１００２、メモリ１００４、電源ユニット１００６、マルチメディアユニット１００８、オーディオユニット１０１０、入力/出力（Ｉ/Ｏ）インターフェース１０１２、センサーユニット１０１４、及び通信ユニット１０１６からなる群から選ばれる少なくとも１つを備えてもよい。
【０１４７】
処理ユニット１００２は、一般的には、装置１０００の全体の操作、例えば、表示、電話呼び出し、データ通信、カメラ操作及び記録操作に関連する操作を制御する。処理ユニット１００２は、上述した方法におけるステップの一部又は全部を実現できるように、命令を実行する少なくとも１つのプロセッサー１０２０を備えてもよい。また、処理ユニット１００２は、他のユニットとのインタラクションを便利にさせるように、少なくとも１つのモジュールを備えてもよい。例えば、処理ユニット１００２は、マルチメディアユニット１００８とのインタラクションを便利にさせるように、マルチメディアモジュールを備えてもよい。
【０１４８】
メモリ１００４は、装置１０００での操作をサポートするように、各種のデータを記憶するように配置される。これらのデータは、例えば、装置１０００で何れのアプリケーション又は方法を操作するための命令、連絡先データ、電話帳データ、メッセージ、画像、ビデオ等を含む。メモリ１００４は、何れの種類の揮発性又は不揮発性メモリ、例えば、ＳＲＡＭ（Ｓｔａｔｉｃ Ｒａｎｄｏｍ Ａｃｃｅｓｓ Ｍｅｍｏｒｙ）、ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（Ｐｒｏｇｒａｍｍａｂｌｅ ＲＯＭ）、ＲＯＭ（Ｒｅａｄ Ｏｎｌｙ Ｍｅｍｂｅｒ）、磁気メモリ、フラッシュメモリ、磁気ディスク、或いは光ディスクにより、或いはそれらの組み合わせにより実現することができる。
【０１４９】
電源ユニット１００６は、装置１０００の各種ユニットに電力を供給するためのものであり、電源管理システム、１つ又は複数の電源、及び装置１０００のために電力を生成、管理及び分配することに関連する他のユニットを備えてもよい。
【０１５０】
マルチメディアユニット１００８は、装置１０００とユーザーとの間に出力インターフェースを提供するスクリーンを備えてもよい。スクリーンは、例えば、液晶ディスプレイ（ＬＣＤ）やタッチパネル（ＴＰ）を備えてもよい。スクリーンは、タッチパネルを備える場合、ユーザーからの入力信号を受信するように、タッチスクリーンになることができる。また、タッチパネルは、タッチや、スライドや、タッチパネル上の手振りを感知するように、少なくとも１つのタッチセンサーを有する。タッチセンサーは、タッチやスライド動作の境界を感知できるだけではなく、タッチやスライド操作と関連する持続時間や圧力も感知できる。一実施例では、マルチメディアユニット１００８は、フロントカメラ及び/又はバックカメラを有してもよい。装置１０００が、例えば、撮影モードやビデオモードのような操作モードにある時、フロントカメラ及び/又はバックカメラが外部のマルチメディアデータを受信できる。フロントカメラ及びバックカメラのそれぞれは、固定の光学レンズ系であってもよいし、焦点距離及び光学ズーム能力を有するものであってもよい。
【０１５１】
オーディオユニット１０１０は、オーディオ信号を出力及び/又は入力するように配置される。例えば、オーディオユニット１０１０は、マイクロフォン（ＭｉＣ）を有してもよい。装置１０００が、例えば、呼び出しモード、記録モード、又は音声認識モードのような操作モードにあるとき、マイクロフォンは、外部のオーディオ信号を受信するように配置される。受信したオーディオ信号は、メモリ１００４にさらに記憶されてもよいし、通信ユニット１０１６を介して送信されてもよい。一実施例では、オーディオユニット１０１０は、オーディオ信号を出力するためのスピーカをさらに備えてもよい。
【０１５２】
Ｉ/Ｏインターフェース１０１２は、処理ユニット１００２と外部のインターフェースモジュールとの間にインターフェースを提供するためのものである。前記外部のインターフェースモジュールは、キーボードや、クリックホイールや、ボタン等であってもよい。これらのボタンは、ホームボタンや、音量ボタンや、スタートボタンや、ロックボタンであってもよいが、それらに限らない。
【０１５３】
センサーユニット１０１４は、装置１０００のために各方面の状態を評価する少なくとも１つのセンサーを備えてもよい。例えば、センサーユニット１０１４は、装置１０００のオン/オフ状態や、ユニットの相対的な位置を検出することができる。例えば、前記ユニットは、装置１０００のディスプレイ及びキーパッドである。センサーユニット１０１４は、装置１０００又は装置１０００の１つのユニットの位置の変化、ユーザーによる装置１０００への接触の有無、装置１０００の方向又は加速/減速、装置１０００の温度変化などを検出することができる。センサーユニット１０１４は、何れの物理的な接触もない場合に付近の物体を検出するように配置される近接センサーを有してもよい。センサーユニット１０１４は、イメージングアプリケーションに用いるための光センサー、例えば、ＣＭＯＳ又はＣＣＤ画像センサーを有してもよい。一実施例では、当該センサーユニット１０１４は、加速度センサー、ジャイロスコープセンサー、磁気センサー、圧力センサー又は温度センサーをさらに備えてもよい。
【０１５４】
通信ユニット１０１６は、装置１０００と他の設備の間との無線又は有線通信を便利にさせるように配置される。装置１０００は、通信標準に基づく無線ネットワーク、例えば、ＷｉＦｉ、２Ｇ又は３Ｇ、又はそれらの組み合わせにアクセスできる。１つの例示的な実施例では、通信ユニット１０１６は、ブロードキャストチャンネルを介して外部のブロードキャスト管理システムからのブロードキャスト信号又はブロードキャストに関する情報を受信する。１つの例示的な実施例では、前記通信ユニット１０１６は、近距離通信を促進するために近距離無線通信（ＮＦＣ）モジュールをさらに備えてもよい。例えば、ＮＦＣモジュールは、無線周波数認識（ＲＦＩＤ：Ｒａｄｉｏ Ｆｒｅｑｕｅｎｃｙ ＩＤｅｎｔｉｆｉｃａｔｉｏｎ）技術、赤外線データ協会（ＩｒＤＡ：Ｉｎｆｒａｒｅｄ Ｄａｔａ Ａｓｓｏｃｉａｔｉｏｎ）技術、超広帯域無線（ＵＷＢ：Ｕｌｔｒａ Ｗｉｄｅ Ｂａｎｄ）技術、ブルートゥース（登録商標）（ＢＴ：Ｂｌｕｅｔｏｏｔｈ（登録商標））技術及び他の技術によって実現されてもよい。
【０１５５】
例示的な実施例では、装置１０００は、上述した方法を実行するために、１つ又は複数の特定用途向け集積回路（ＡＳＩＣ：Ａｐｐｌｉｃａｔｉｏｎ Ｓｐｅｃｉｆｉｃ Ｉｎｔｅｇｒａｔｅｄ Ｃｉｒｃｕｉｔ）、デジタル信号プロセッサー（ＤＳＰ：Ｄｉｇｉｔａｌ Ｓｉｇｎａｌ Ｐｒｏｃｅｓｓｏｒ）、デジタル信号処理デバイス（ＤＳＰＤ：Ｄｉｇｉｔａｌ Ｓｉｇｎａｌ Ｐｒｏｃｅｓｓｉｎｇ Ｄｅｖｉｃｅ）、プログラマブルロジックデバイス（ＰＬＤ：Ｐｒｏｇｒａｍｍａｂｌｅ Ｌｏｇｉｃ Ｄｅｖｉｃｅ）、書替え可能ゲートアレイ（ＦＰＧＡ：Ｆｉｅｌｄ−Ｐｒｏｇｒａｍｍａｂｌｅ Ｇａｔｅ Ａｒｒａｙ）、コントローラ、マイクロコントローラ、マイクロプロセッサー、又は他の電子機器によって実現されてもよい。
【０１５６】
例示的な実施例では、命令を有する非一時的コンピュータ読み取り可能な記録媒体、例えば、命令を有するメモリ１００４をさらに提供する。前記命令は、装置１０００のプロセッサー１０２０により実行されて上述した方法を実現する。例えば、前記非一時的コンピュータ読み取り可能な記録媒体は、ＲＯＭ、ＲＡＭ、ＣＤ-ＲＯＭ、磁気テープ、フロッピー（登録商標）ディスク及び光データメモリ等であってもよい。
【０１５７】
本発明の実施例において、第２の端末は、指定のマルチキャストアドレスをモニタリングするとともに、指定のマルチキャストアドレスから複数のマルチキャストメッセージを受信した後、それぞれのマルチキャストメッセージ中のマルチキャストアドレスフィールドによってアクセス情報を還元し、前記アクセス情報によってネットワークにアクセスする操作を行う。このようにして、第２の端末が簡単にネットワークにアクセスすることを実現でき、複雑な操作に起因する人間・機械の相互作用性が低下する不具合を防止することができ、ネットワークにアクセスする効率を向上させることができる。
【０１５８】
当業者は、明細書に対する理解、及び明細書に記載された発明に対する実施を通じて、本発明の他の実施形態を容易に得ることができる。本発明は、本発明に対する任意の変形、用途、又は適応的な変化を含み、このような変形、用途、又は適応的な変化は、本発明の一般的な原理に従い、本発明では開示していない本技術分野の公知の知識、又は通常の技術手段を含む。明細書と実施例は、ただ例示的なものであって、本発明の本当の範囲と主旨は、以下の特許請求の範囲によって示される。
【０１５９】
本発明は、前記で記述し、図面で図示した特定の構成に限定されず、その範囲を離脱しない状況で、様様な修正と変更を実現できる。本発明の範囲は、添付される特許請求の範囲のみにより限定される。
【０１６０】
本願は、出願番号が２０１５１００４７８７５．１であって、出願日が２０１５年１月２９日である中国特許出願に基づき優先権を主張し、当該中国特許出願のすべての内容を本願に援用する。
【手続補正４】
【補正対象書類名】図面
【補正対象項目名】図６
【補正方法】変更
【補正の内容】
【図６】
2017511089.tif 000013
【国際調査報告】
2017511089.tif 000014
2017511089.tif 000015
2017511089.tif 000016
2017511089.tif 000017